(57)【要約】  本発明は、ランダムアクセスのための方法及び装置を解決し、従来のＬＴＥシステムのランダムアクセスのプロセスが５Ｇシステムにおいて正常に動作できない問題点を解決する。前記方法では、端末は、自分が用いるデータ送信のための送信パラメータを決定し、前記送信パラメータに動作帯域幅及び/またはベースバンドパラメータが含まれ、端末は、前記送信パラメータに基づき、ランダムアクセス要求を送信し、端末は、前記送信パラメータを用いて、前記ランダムアクセス要求に対応するランダムアクセス応答を受信する。こうして、５Ｇシステム場合のランダムアクセスのプロセスを実行し、アクセス成功率を向上させる。
2019527990.tif 000002
【特許請求の範囲】
【請求項１】
端末は、自分が用いるデータ送信のための送信パラメータを決定するステップと、
前記端末は、前記送信パラメータに基づき、ランダムアクセス要求を送信するステップと、
前記端末は、前記送信パラメータを用いて、前記ランダムアクセス要求に対応するランダムアクセス応答を受信するステップとを備え、
前記送信パラメータに動作帯域幅及び/またはベースバンドパラメータが含まれることを特徴とするランダムアクセスのための方法。
【請求項２】
前記送信パラメータはプリセットされたものであり、または、前記送信パラメータは、前記端末が自分の能力及び/またはトラフィック需要に応じて決定されたものであることを特徴とする請求項１に記載のランダムアクセスのための方法。
【請求項３】
前記端末は、前記送信パラメータに基づき、ランダムアクセス要求を送信する場合、
前記端末は、プリアンブルシーケンスグループと動作帯域幅との間の対応関係に基づき、前記端末に用いられる動作帯域幅に対応するプリアンブルシーケンスグループを決定し、または、前記端末は、プリアンブルシーケンスグループとベースバンドパラメータとの間の対応関係に基づき、前記端末に用いられるベースバンドパラメータに対応するプリアンブルシーケンスグループを決定し、
前記端末は、決定したプリアンブルシーケンスグループから、プリアンブルシーケンスを前記ランダムアクセス要求として選択して送信することを特徴とする請求項１に記載のランダムアクセスのための方法。
【請求項４】
前記端末は、前記送信パラメータに基づき、ランダムアクセス要求を送信する場合、
前記端末は、リソースグループと動作帯域幅との間の対応関係に基づき、前記端末に用いられる動作帯域幅に対応するリソースグループを決定し、または、前記端末は、リソースグループとベースバンドパラメータとの間の対応関係に基づき、前記端末に用いられるベースバンドパラメータに対応するリソースグループを決定し、
前記端末は、決定したリソースグループ内の送信リソースにより、前記ランダムアクセス要求を送信することを特徴とする請求項１に記載のランダムアクセスのための方法。
【請求項５】
前記端末は、前記送信パラメータに基づき、ランダムアクセス要求を送信する場合、
前記端末は、前記端末に用いられる動作帯域幅上の送信リソースにより、前記ランダムアクセス要求を送信し、または、
前記端末は、前記端末に用いられるベースバンドパラメータの動作帯域幅上の送信リソースまたは、前記端末に用いられるベースバンドパラメータのサブフレームタイプを有する送信時間間隔（ＴＴＩ）内の送信リソースにより、前記ランダムアクセス要求を送信することを特徴とする請求項１に記載のランダムアクセスのための方法。
【請求項６】
前記端末は、前記送信パラメータを用いて、前記ランダムアクセス応答によってスケジューリングされたアップリンク送信を送信し、
前記端末は、前記送信パラメータを用いて、競合解決メッセージを受信することを特徴とする請求項１ないし請求項５のいずれか１項に記載のランダムアクセスのための方法。
【請求項７】
ネットワーク側送信ポイントは、ランダムアクセス要求を受信した後、前記ランダムアクセス要求に対応するランダムアクセス応答を送信する送信パラメータを決定するステップと、
前記ネットワーク側送信ポイントは、前記送信パラメータを用いて、前記ランダムアクセス応答を送信するステップとを備えることを特徴とするランダムアクセスのための方法。
【請求項８】
前記送信パラメータはプリセットされたものであり、または、前記送信パラメータは、前記ネットワーク側送信ポイントが前記ランダムアクセス要求に応じて決定したものであることを特徴とする請求項７に記載のランダムアクセスのための方法。
【請求項９】
前記ネットワーク側送信ポイントが前記ランダムアクセス要求に対応するランダムアクセス応答を送信する送信パラメータを決定する場合、
前記ネットワーク側送信ポイントは、プリアンブルシーケンスグループと動作帯域幅との間の対応関係に基づき、前記ランダムアクセス要求内のプリアンブルシーケンスが含まれるプリアンブルシーケンスグループに対応する動作帯域幅を決定し、決定した動作帯域幅を前記ランダムアクセス応答を送信する動作帯域幅として決定し、または、
前記ネットワーク側送信ポイントは、プリアンブルシーケンスグループとベースバンドパラメータとの間の対応関係に基づき、前記ランダムアクセス要求内のプリアンブルシーケンスが含まれるプリアンブルシーケンスグループに対応するベースバンドパラメータを決定し、決定したベースバンドパラメータを、前記ランダムアクセス応答を送信するベースバンドパラメータとして決定することを特徴とする請求項８に記載のランダムアクセスのための方法。
【請求項１０】
前記ネットワーク側送信ポイントが前記ランダムアクセス要求に対応するランダムアクセス応答を送信する送信パラメータを決定する場合、
前記ネットワーク側送信ポイントは、リソースグループと動作帯域幅との間の対応関係に基づき、受信した前記ランダムアクセス要求の送信リソースが含まれるリソースグループに対応する動作帯域幅を決定し、決定した動作帯域幅を前記ランダムアクセス応答を送信する動作帯域幅として決定し、または、
前記ネットワーク側送信ポイントは、リソースグループとベースバンドパラメータとの間の対応関係に基づき、受信した前記ランダムアクセス要求の送信リソースが含まれるリソースグループに対応するベースバンドパラメータを決定し、決定したベースバンドパラメータを、前記ランダムアクセス応答を送信するベースバンドパラメータとして決定することを特徴とする請求項８に記載のランダムアクセスのための方法。
【請求項１１】
前記ネットワーク側送信ポイントが前記ランダムアクセス要求に対応するランダムアクセス応答を送信する送信パラメータを決定する場合、
前記ネットワーク側送信ポイントは、受信した前記ランダムアクセス要求の送信リソースが含まれる動作帯域幅を、前記ランダムアクセス応答を送信する動作帯域幅として決定し、または、
前記ネットワーク側送信ポイントは、受信した前記ランダムアクセス要求の送信リソースが含まれる動作帯域幅のベースバンドパラメータを、前記ランダムアクセス応答を送信するベースバンドパラメータとして決定し、または、
前記ネットワーク側送信ポイントは、受信した前記ランダムアクセス要求の送信リソースが含まれるＴＴＩのサブフレームタイプを決定し、前記サブフレームタイプのベースバンドパラメータを、前記ランダムアクセス応答を送信するベースバンドパラメータとして決定することを特徴とする請求項８に記載のランダムアクセスのための方法。
【請求項１２】
前記ネットワーク側送信ポイントは、前記送信パラメータを用いて、前記ランダムアクセス応答によってスケジューリングされたアップリンク送信を受信し、
前記ネットワーク側送信ポイントは、前記送信パラメータを用いて、競合解決メッセージを送信することを特徴とする請求項７ないし請求項１１のいずれか１項に記載のランダムアクセスのための方法。
【請求項１３】
端末に用いられるデータ送信のための送信パラメータを決定する決定モジュールと、
前記送信パラメータに基づき、ランダムアクセス要求を送信する送信モジュールと、
前記送信パラメータを用いて、前記ランダムアクセス要求に対応するランダムアクセス応答を受信する受信モジュールとを備え、
前記送信パラメータに動作帯域幅及び/またはベースバンドパラメータが含まれることを特徴とする端末。
【請求項１４】
前記送信パラメータはプリセットされたものであり、または、前記送信パラメータは、前記端末が自分の能力及び/またはトラフィック需要に応じて決定されたものであることを特徴とする請求項１３に記載の端末。
【請求項１５】
前記送信モジュールは、
プリアンブルシーケンスグループと動作帯域幅との間の対応関係に基づき、前記端末に用いられる動作帯域幅に対応するプリアンブルシーケンスグループを決定し、または、前記端末は、プリアンブルシーケンスグループとベースバンドパラメータとの間の対応関係に基づき、前記端末に用いられるベースバンドパラメータに対応するプリアンブルシーケンスグループを決定し、
決定したプリアンブルシーケンスグループから、プリアンブルシーケンスを前記ランダムアクセス要求として選択して送信することを特徴とする請求項１３に記載の端末。
【請求項１６】
前記送信モジュールは、
リソースグループと動作帯域幅との間の対応関係に基づき、前記端末に用いられる動作帯域幅に対応するリソースグループを決定し、または、前記端末は、リソースグループとベースバンドパラメータとの間の対応関係に基づき、前記端末に用いられるベースバンドパラメータに対応するリソースグループを決定し、
決定したリソースグループ内の送信リソースにより、前記ランダムアクセス要求を送信することを特徴とする請求項１３に記載の端末。
【請求項１７】
前記送信モジュールは、
前記端末に用いられる動作帯域幅上の送信リソースにより、前記ランダムアクセス要求を送信し、
または、
前記端末に用いられるベースバンドパラメータの動作帯域幅上の送信リソースまたは、前記端末に用いられるベースバンドパラメータのサブフレームタイプを有する送信時間間隔（ＴＴＩ）内の送信リソースにより、前記ランダムアクセス要求を送信することを特徴とする請求項１３に記載の端末。
【請求項１８】
前記送信モジュールは、前記送信パラメータを用いて、前記ランダムアクセス応答によってスケジューリングされたアップリンク送信を送信し、
前記受信モジュールは、前記送信パラメータを用いて、競合解決メッセージを受信することを特徴とする請求項１３ないし請求項１７のいずれか１項に記載の端末。
【請求項１９】
前記ネットワーク側送信ポイントは、
ランダムアクセス要求を受信する受信モジュールと、
前記ランダムアクセス要求に対応するランダムアクセス応答を送信する送信パラメータを決定する決定モジュールと、
前記送信パラメータを用いて、前記ランダムアクセス応答を送信する送信モジュールとを備えることを特徴とするネットワーク側送信ポイント。
【請求項２０】
前記送信パラメータはプリセットされたものであり、または、前記送信パラメータは、前記ネットワーク側送信ポイントが前記ランダムアクセス要求に応じて決定したものであることを特徴とする請求項１９に記載のネットワーク側送信ポイント。
【請求項２１】
前記決定モジュールは、
プリアンブルシーケンスグループと動作帯域幅との間の対応関係に基づき、前記ランダムアクセス要求内のプリアンブルシーケンスが含まれるプリアンブルシーケンスグループに対応する動作帯域幅を決定し、決定した動作帯域幅を前記ランダムアクセス応答を送信する動作帯域幅として決定し、または、
プリアンブルシーケンスグループとベースバンドパラメータとの間の対応関係に基づき、前記ランダムアクセス要求内のプリアンブルシーケンスが含まれるプリアンブルシーケンスグループに対応するベースバンドパラメータを決定し、決定したベースバンドパラメータを、前記ランダムアクセス応答を送信するベースバンドパラメータとして決定することを特徴とする請求項２０に記載のネットワーク側送信ポイント。
【請求項２２】
前記決定モジュールは、
リソースグループと動作帯域幅との間の対応関係に基づき、受信した前記ランダムアクセス要求の送信リソースが含まれるリソースグループに対応する動作帯域幅を決定し、決定した動作帯域幅を前記ランダムアクセス応答を送信する動作帯域幅として決定し、または、
リソースグループとベースバンドパラメータとの間の対応関係に基づき、受信した前記ランダムアクセス要求の送信リソースが含まれるリソースグループに対応するベースバンドパラメータを決定し、決定したベースバンドパラメータを、前記ランダムアクセス応答を送信するベースバンドパラメータとして決定することを特徴とする請求項２０に記載のネットワーク側送信ポイント。
【請求項２３】
前記決定モジュールは、
受信した前記ランダムアクセス要求の送信リソースが含まれる動作帯域幅を、前記ランダムアクセス応答を送信する動作帯域幅として決定し、または、
受信した前記ランダムアクセス要求の送信リソースが含まれる動作帯域幅のベースバンドパラメータを、前記ランダムアクセス応答を送信するベースバンドパラメータとして決定し、または、
受信した前記ランダムアクセス要求の送信リソースが含まれるＴＴＩのサブフレームタイプを決定し、前記サブフレームタイプのベースバンドパラメータを、前記ランダムアクセス応答を送信するベースバンドパラメータとして決定することを特徴とする請求項２０に記載のネットワーク側送信ポイント。
【請求項２４】
前記受信モジュールは、前記送信パラメータを用いて、前記ランダムアクセス応答によってスケジューリングされたアップリンク送信を受信し、
前記送信モジュールは、前記送信パラメータを用いて、競合解決メッセージを送信することを特徴とする請求項１９ないし請求項２３のいずれか１項に記載のネットワーク側送信ポイント。
【請求項２５】
プロセッサと、送受信機と、メモリとを備え、
前記プロセッサは、前記メモリに格納されたプログラムを読み出し、
端末に用いられるデータ送信のための送信パラメータを決定し、前記送信パラメータに動作帯域幅及び/またはベースバンドパラメータが含まれ、
前記送信パラメータに基づき、前記送受信機により、ランダムアクセス要求を送信し、
前記送受信機が前記送信パラメータを用いるように制御し、前記ランダムアクセス要求に対応するランダムアクセス応答を受信し、
前記送受信機は、前記プロセッサの制御によりデータを送受信することを特徴とする端末。
【請求項２６】
プロセッサと、送受信機と、メモリとを備え、
前記プロセッサは、前記メモリに格納されたプログラムを読み出し、
前記送受信機によりランダムアクセス要求を受信し、
前記ランダムアクセス要求に対応するランダムアクセス応答を送信する送信パラメータを決定し、
前記送信パラメータを用いて、前記ランダムアクセス応答を送信するように前記送受信機を制御し、
前記送受信機は、前記プロセッサの制御によりデータを送受信することを特徴とするネットワーク側送信ポイント。
【発明の詳細な説明】
【技術分野】
【０００１】
本発明は通信技術分野に関し、特に、ランダムアクセスのための方法及び装置に関する。
【背景技術】
【０００２】
ロングタームエボリューション（ｌｏｎｇ Ｔｅｒｍ Ｅｖｏｌｕｔｉｏｎ，ＬＴＥ）システムにおけるランダムアクセスは、競合ランダムアクセスおよび非競合ランダムアクセスを含む。
【０００３】
（１）競合ランダムアクセスは、一般に、端末の初期アクセス、無線リソース制御（Ｒａｄｉｏ Ｒｅｓｏｕｒｃｅ Ｃｏｎｔｒｏｌ，ＲＲＣ）接続の再設定、ハンドオーバ、ダウンリンクデータを非同期状態でＲＲＣ接続状態に到着、アップリンクデータをＲＲＣ接続状態に到着、ＲＲＣ接続状態での位置決めするために行われる。図１Ａに示すように、競合ランダムアクセスのプロセスには以下のメッセージを含む。
【０００４】
１）メッセージ１（Ｍｅｓｓａｇｅ１，Ｍｓｇ１）：ランダムアクセスプリアンブル（Ｒａｎｄｏｍ Ａｃｃｅｓｓ Ｐｒｅａｍｂｌｅ）。
【０００５】
具体的に、ユーザ機器（Ｕｓｅｒ Ｅｑｕｉｐｍｅｎｔ，ＵＥ）は、ランダムアクセスプリアンブルおよび物理ランダムアクセスチャネル（Ｐｈｙｓｉｃａｌ Ｒａｎｄｏｍ Ａｃｃｅｓｓ Ｃｈａｎｎｅｌ，ＰＲＡＣＨ）リソースを選択し、選択したランダムアクセスプリアンブルをＰＲＡＣＨリソースを介して基地局に送信する。
【０００６】
２）Ｍｓｇ２：ランダムアクセス応答「Ｒａｎｄｏｍ Ａｃｃｅｓｓ Ｒｅｓｐｏｎｓｅ」。
【０００７】
具体的に、基地局は、プリアンブルを受信するとタイミングアドバンス（Ｔｉｍｅ Ａｌｉｇｎｍｅｎｔ，ＴＡ）を計算し、ランダムアクセス応答をＵＥに送信する。ランダムアクセス応答は、タイミングアドバンス、Ｍｓｇ３に対するアップリンク（ＵＬ ｇｒａｎｔ）許可、および１時的セルアクセスを含む。ネットワーク側によって割り当てられた無線ネットワーク１時識別子{Ｃｅｌｌ− Ｒａｄｉｏ Ｎｅｔｗｏｒｋ Ｔｅｍｐｏｒａｒｙ Ｉｄｅｎｔｉｆｉｅｒ，Ｃ−ＲＮＴＩ}。Ｍｓｇ２のスケジューリングメッセージを搬送する物理ダウンリンク制御チャネル（Ｐｈｙｓｉｃａｌ Ｄｏｗｎｌｉｎｋ Ｃｏｎｔｒｏｌ Ｃｈａｎｎｅｌ，ＰＤＣＣＨ）は、Ｍｓｇ３が１０ｍｓウィンドウ内で送信される時間-周波数リソースに唯１に対応するランダムアクセス無線ネットワーク１時識別子（Ｒａｎｄｏｍ Ａｃｃｅｓｓ Ｒａｄｉｏ Ｎｅｔｗｏｒｋ Ｔｅｍｐｏｒａｒｙ Ｉｄｅｎｔｉｆｉｅｒ，ＲＡ - ＲＮＴＩ）を使用してスクランブルされる。また、Ｍｓｇ２にＰｒｅａｍｂｌｅ ＩＤが含まれ、ＵＥは、ＲＡ−ＲＮＴＩ及びＰｒｅａｍｂｌｅ に従って、Ｍｓｇ２がＵＥによって送信されたＭｓｇ１に対応すると判定する。
【０００８】
３）Ｍｓｇ３：スケジュール送信（Ｓｃｈｅｄｕｌｅｄ Ｔｒａｎｓｍｉｓｓｉｏｎ）。
【０００９】
具体的に、ＵＥは、Ｍｓｇ２によって指定されたＵＬ ｇｒａｎｔを介してアップリンク送信を送信する。ここで、Ｍｓｇ３のアップリンク送信はランダムアクセス内容ごとに異なり、例えば初期アクセスについては、ＲＲＣ接続確立要求がＭｓｇ３において送信される。
【００１０】
４）Ｍｓｇ４：競合解決（Ｃｏｎｔｅｎｔｉｏｎ Ｒｅｓｏｌｕｔｉｏｎ）
【００１１】
具体的に、ＵＥはＭｓｇ４に基づきランダムアクセスが成功したかどうかを判断することができる。初期アクセスのＵＥは、競合解決が成功すると、１時Ｃ−ＲＮＴＩはセル内のＵＥの唯１のＵＥ識別子に自動的に変換される。
【００１２】
（２）非競合ランダムアクセスは、一般に、ハンドオーバ、ダウンリンクデータの到着、位置決め、アップリンクタイミングの取得などのために行われる。図示のように、そのプロセスは以下のメッセージを含む。
【００１３】
１）Ｍｓｇ０：ＲＡ Ｐｒｅａｍｂｌｅ割り当て（ＲＡ Ｐｒｅａｍｂｌｅ）
具体的に、基地局は、非競合ランダムアクセス用の専用プリアンブルと、ランダムアクセス用のＰＲＡＣＨリソースとをＵＥに割り当てる。
【００１４】
２）Ｍｓｇ１：ランダムアクセスプリアンブル（Ｒａｎｄｏｍ Ａｃｃｅｓｓ Ｐｒｅａｍｂｌｅ）
【００１５】
具体的に、Ｍｓｇ０の指示に従って、ＵＥは、指定されたＰＲＡＣＨ（Ｐｈｙｓｉｃａｌ Ｒａｎｄｏｍ Ａｃｃｅｓｓ Ｃｈａｎｎｅｌ）リソースにおいて、指定された専用プリアンブルを基地局に送信する。基地局は、Ｍｓｇ１を受信すると、Ｍｓｇ１に従ってアップリンクタイミングアドバンス（ＴＡ）を計算する。
【００１６】
３）Ｍｓｇ２：ランダムアクセス応答（Ｒａｎｄｏｍ Ａｃｃｅｓｓ Ｒｅｓｐｏｎｓｅ）
【００１７】
基地局は、ＵＥにランダムアクセス応答（ランダムアクセス応答にタイミングアドバンスと、後続のアップリンク送信リソースを割り当てるためのＵＬ ｇｒａｎｔが含まれる）を送信する。タイミングアドバンスは、タイミングアドバンスは、ＵＥによる後続のアップリンク送信のタイミング関係を定義する。
【００１８】
ＬＴＥシステムのランダムアクセスのプロセスは、セルの動作帯域幅全体にわたって実行することができる。ＬＴＥシステムでは、ＵＥの受信帯域幅は２０ＭＨｚであり、セルの最大帯域幅は２０ＭＨｚであるので、ＵＥはセルの任意のリソース位置でランダムアクセスプロセスでメッセージを常に送受信することができる。さらに、ＬＴＥシステムのセルには１セットのベースバンドパラメータｎｕｍｅｒｏｌｏｇｙ（サブキャプリア間隔、シンボル長などを含む）しかなく、ＵＥはランダムアクセスでベースバンドパラメータを用いて簡単に動作することができる。次世代の無線通信システム、すなわち５Ｇシステムに１連の新しい特徴が導入されている。
【００１９】
１、ネットワーク側送信ポイント（例えば、ｅＮＢ、分散ユニット（Ｄｉｓｔｒｉｂｕｔｅｄ ｕｎｉｔ，ＤＵ）など）は、広い帯域幅（例えば、１００ＭＨｚ）にわたって動作することができ、ＵＥがデータを送信するときの動作帯域幅は、その帯域幅よりも小さくなり得る。そのため、ランダムにアクセスするＵＥは、ネットワーク側送信ポイントの送信帯域幅においてランダムアクセスのプロセスでメッセージを監視して受信することができない。
【００２０】
２、複数セットのベースバンドパラメータが導入され、複数セットのベースバンドパラメータは、ネットワーク側送信ポイントの帯域幅において周波数分割モードまたは時分割モードで共存することができる。
【００２１】
複数セットのベースバンドパラメータを導入する原因の１
【００２２】
異なる端末の要求、例えば、超高信頼性および低待ち時間通信（Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎｓ，ＵＲＬＬＣ）の場合、ＵＥが極端に低い待ち時間を要求するので、より短いシンボル長が望ましい。
【００２３】
複数セットのベースバンドパラメータを導入する原因の２
【００２４】
複数の搬送波周波数およびＵＥ速度を導入する要求、例えば３０ＧＨｚでの動作において満足できなくなる。ＬＴＥシステムにおいて、１５ＫＨｚの副搬送波間隔および対応するシンボル長が、もう動作できなくなりより大きな副搬送波。キャプリア間隔と短いシンボル長が導入されなければならない。したがって、ランダムアクセスのプロセスにおけるＵＥは、どの動作帯域幅において、そしてどのベースバンドパラメータを用いてランダムアクセスのプロセスを実行すべきかを知る必要がある。ＵＥの能力が１部のベースバンドパラメータのみで動作することに限定される場合、ＵＥは、ランダムアクセスのプロセスにおいて動作帯域幅およびベースバンドパラメータを決定することができない場合、まったく正常に動作しないことになる。
【００２５】
要約すると、５Ｇシステムの新しい特性が導入されるにつれて、ネットワーク側送信ポイントの帯域幅は、ＵＥの動作帯域幅よりも大きくなる可能性があり、複数のセットのベースバンドパラメータがあり得る。こうして、従来のＬＴＥシステムにおけるランダムアクセスのプロセスが５Ｇシステムにおいて正常に実行されることができない。５Ｇシステムにおいて、どのようにランダムアクセスを実行すべきのかについて、解決案はまだ存在しない。
【発明の概要】
【発明が解決しようとする課題】
【００２６】
本発明に係る実施例は、ランダムアクセスのための方法及び装置を提供し、従来のＬＴＥシステムのランダムアクセスのプロセスが５Ｇシステムにおいて正常に動作できない問題点を解決する。
【課題を解決するための手段】
【００２７】
第１の態様によれば、ランダムアクセスのための方法は、
端末は、自分が用いるデータ送信のための送信パラメータを決定するステップと、
前記端末は、前記送信パラメータに基づき、ランダムアクセス要求を送信するステップと、
前記端末は、前記送信パラメータを用いて、前記ランダムアクセス要求に対応するランダムアクセス応答を受信するステップとを備え、
前記送信パラメータに動作帯域幅及び/またはベースバンドパラメータが含まれる。
【００２８】
可能の実施形態では、前記送信パラメータはプリセットされたものであり、または、前記送信パラメータは、前記端末が自分の能力及び/またはトラフィック需要に応じて決定されたものである。
【００２９】
可能の実施形態では、前記端末が前記送信パラメータに基づき、ランダムアクセス要求を送信する場合、
前記端末は、プリアンブルシーケンスグループと動作帯域幅との間の対応関係に基づき、前記端末に用いられる動作帯域幅に対応するプリアンブルシーケンスグループを決定し、または、前記端末は、プリアンブルシーケンスグループとベースバンドパラメータとの間の対応関係に基づき、前記端末に用いられるベースバンドパラメータに対応するプリアンブルシーケンスグループを決定し、
前記端末は、決定したプリアンブルシーケンスグループから、プリアンブルシーケンスを前記ランダムアクセス要求として選択して送信する。
【００３０】
可能の実施形態では、前記端末が前記送信パラメータに基づき、ランダムアクセス要求を送信する場合、
前記端末は、リソースグループと動作帯域幅との間の対応関係に基づき、前記端末に用いられる動作帯域幅に対応するリソースグループを決定し、または、前記端末は、リソースグループとベースバンドパラメータとの間の対応関係に基づき、前記端末に用いられるベースバンドパラメータに対応するリソースグループを決定し、
前記端末は、決定したリソースグループ内の送信リソースにより、前記ランダムアクセス要求を送信する。
【００３１】
可能の実施形態では、前記端末が前記送信パラメータに基づき、ランダムアクセス要求を送信する場合、
前記端末は、前記端末に用いられる動作帯域幅上の送信リソースにより、前記ランダムアクセス要求を送信し、または、
前記端末は、前記端末に用いられるベースバンドパラメータの動作帯域幅上の送信リソースまたは、前記端末に用いられるベースバンドパラメータのサブフレームタイプを有する送信時間間隔（ＴＴＩ）内の送信リソースにより、前記ランダムアクセス要求を送信する。
【００３２】
可能の実施形態では、前記方法では、
前記端末は、前記送信パラメータを用いて、前記ランダムアクセス応答によってスケジューリングされたアップリンク送信を送信し、
前記端末は、前記送信パラメータを用いて、競合解決メッセージを受信する。
【００３３】
第２の態様によれば、ランダムアクセスのための方法は、
ネットワーク側送信ポイントは、ランダムアクセス要求を受信した後、前記ランダムアクセス要求に対応するランダムアクセス応答を送信する送信パラメータを決定するステップと、
前記ネットワーク側送信ポイントは、前記送信パラメータを用いて、前記ランダムアクセス応答を送信するステップとを備える。
【００３４】
可能の実施形態では、前記送信パラメータはプリセットされたものであり、または、前記送信パラメータは、前記ネットワーク側送信ポイントが前記ランダムアクセス要求に基づいて決定されたものである。
【００３５】
可能の実施形態では、前記ネットワーク側送信ポイントは、前記ランダムアクセス要求に対応するランダムアクセス応答を送信する送信パラメータを決定する場合、
前記ネットワーク側送信ポイントは、プリアンブルシーケンスグループと動作帯域幅との間の対応関係に基づき、前記ランダムアクセス要求内のプリアンブルシーケンスが含まれるプリアンブルシーケンスグループに対応する動作帯域幅を決定し、決定した動作帯域幅を前記ランダムアクセス応答を送信する動作帯域幅として決定し、または、
前記ネットワーク側送信ポイントは、プリアンブルシーケンスグループとベースバンドパラメータとの間の対応関係に基づき、前記ランダムアクセス要求内のプリアンブルシーケンスが含まれるプリアンブルシーケンスグループに対応するベースバンドパラメータを決定し、決定したベースバンドパラメータを、前記ランダムアクセス応答を送信するベースバンドパラメータとして決定する。
【００３６】
可能の実施形態では、前記ネットワーク側送信ポイントが前記ランダムアクセス要求に対応するランダムアクセス応答を送信する送信パラメータを決定する場合、
前記ネットワーク側送信ポイントは、リソースグループと動作帯域幅との間の対応関係に基づき、受信した前記ランダムアクセス要求の送信リソースが含まれるリソースグループに対応する動作帯域幅を決定し、決定した動作帯域幅を前記ランダムアクセス応答を送信する動作帯域幅として決定し、または、
前記ネットワーク側送信ポイントは、リソースグループとベースバンドパラメータとの間の対応関係に基づき、受信した前記ランダムアクセス要求の送信リソースが含まれるリソースグループに対応するベースバンドパラメータを決定し、決定したベースバンドパラメータを、前記ランダムアクセス応答を送信するベースバンドパラメータとして決定する。
【００３７】
可能の実施形態では、前記ネットワーク側送信ポイントが前記ランダムアクセス要求に対応するランダムアクセス応答を送信する送信パラメータを決定する場合、
前記ネットワーク側送信ポイントは、受信した前記ランダムアクセス要求の送信リソースが含まれる動作帯域幅を、前記ランダムアクセス応答を送信する動作帯域幅として決定し、または、
前記ネットワーク側送信ポイントは、受信した前記ランダムアクセス要求の送信リソースが含まれる動作帯域幅のベースバンドパラメータを、前記ランダムアクセス応答を送信するベースバンドパラメータとして決定し、または、
前記ネットワーク側送信ポイントは、受信した前記ランダムアクセス要求の送信リソースが含まれるＴＴＩのサブフレームタイプを決定し、前記サブフレームタイプのベースバンドパラメータを、前記ランダムアクセス応答を送信するベースバンドパラメータとして決定する。
【００３８】
可能の実施形態では、前記方法では、
前記ネットワーク側送信ポイントは、前記送信パラメータを用いて、前記ランダムアクセス応答によってスケジューリングされたアップリンク送信を受信し、
前記ネットワーク側送信ポイントは、前記送信パラメータを用いて、競合解決メッセージを送信する。
【００３９】
第３の態様によれば、第１の態様による方法を実行するように構成された実行可能プログラムコードを格納するコンピュータ可読記憶媒体が提供される。
第４の態様によれば、第２の態様による方法を実行するように構成された実行可能プログラムコードを格納するコンピュータ可読記憶媒体が提供される。
【００４０】
第５の態様によれば、端末は、
前記端末に用いられるデータ送信のための送信パラメータを決定する決定モジュールと、
前記送信パラメータに基づき、ランダムアクセス要求を送信する送信モジュールと、
前記送信パラメータを用いて、前記ランダムアクセス要求に対応するランダムアクセス応答を受信する受信モジュールとを備え、
前記送信パラメータに動作帯域幅及び/またはベースバンドパラメータが含まれる。
可能の実施形態では、前記送信パラメータはプリセットされたものであり、または、前記送信パラメータは、前記端末が自分の能力及び/またはトラフィック需要に応じて決定されたものである。
【００４１】
可能の実施形態では、前記送信モジュールは、
プリアンブルシーケンスグループと動作帯域幅との間の対応関係に基づき、前記端末に用いられる動作帯域幅に対応するプリアンブルシーケンスグループを決定し、または、前記端末は、プリアンブルシーケンスグループとベースバンドパラメータとの間の対応関係に基づき、前記端末に用いられるベースバンドパラメータに対応するプリアンブルシーケンスグループを決定し、
決定したプリアンブルシーケンスグループから、プリアンブルシーケンスを前記ランダムアクセス要求として選択して送信する。
【００４２】
可能の実施形態では、前記送信モジュールは、
リソースグループと動作帯域幅との間の対応関係に基づき、前記端末に用いられる動作帯域幅に対応するリソースグループを決定し、または、前記端末は、リソースグループとベースバンドパラメータとの間の対応関係に基づき、前記端末に用いられるベースバンドパラメータに対応するリソースグループを決定し、
決定したリソースグループ内の送信リソースにより、前記ランダムアクセス要求を送信する。
【００４３】
可能の実施形態では、前記送信モジュールは、
前記端末に用いられる動作帯域幅上の送信リソースにより、前記ランダムアクセス要求を送信し、
または、
前記端末に用いられるベースバンドパラメータの動作帯域幅上の送信リソースまたは、前記端末に用いられるベースバンドパラメータのサブフレームタイプを有する送信時間間隔（ＴＴＩ）内の送信リソースにより、前記ランダムアクセス要求を送信する。
【００４４】
可能の実施形態では、前記送信モジュールは、前記送信パラメータを用いて、前記ランダムアクセス応答によってスケジューリングされたアップリンク送信を送信し、
前記受信モジュールは、前記送信パラメータを用いて、競合解決メッセージを受信する。
【００４５】
第６の態様によれば、端末は、プロセッサと、送受信機と、メモリとを備え、
前記プロセッサは、前記メモリに格納されたプログラムを読み出し、
前記端末に用いられるデータ送信のための送信パラメータを決定し、前記送信パラメータに動作帯域幅及び/またはベースバンドパラメータが含まれ、
前記送信パラメータに基づき、前記送受信機により、ランダムアクセス要求を送信し、
前記送受信機が前記送信パラメータを用いるように制御し、前記ランダムアクセス要求に対応するランダムアクセス応答を受信し、
前記送受信機は、前記プロセッサの制御によりデータを送受信する。
【００４６】
可能の実施形態では、前記送信パラメータはプリセットされたものであり、または、前記送信パラメータは、前記プロセッサが前記端末の能力及び/またはトラフィックニーズに応じて決定したものである。
【００４７】
可能の実施形態では、前記プロセッサは、前記メモリに格納されたプログラムを読み出し、
プリアンブルシーケンスグループと動作帯域幅との間の対応関係に基づき、前記端末に用いられる動作帯域幅に対応するプリアンブルシーケンスグループを決定し、または、前記端末は、プリアンブルシーケンスグループとベースバンドパラメータとの間の対応関係に基づき、前記端末に用いられるベースバンドパラメータに対応するプリアンブルシーケンスグループを決定し、
決定したプリアンブルシーケンスグループから、プリアンブルシーケンスを前記ランダムアクセス要求として選択して送信する。
【００４８】
可能の実施形態では、前記プロセッサは、前記メモリに格納されたプログラムを読み出し、リソースグループと動作帯域幅との間の対応関係に基づき、前記端末に用いられる動作帯域幅に対応するリソースグループを決定し、または、前記端末は、リソースグループとベースバンドパラメータとの間の対応関係に基づき、前記端末に用いられるベースバンドパラメータに対応するリソースグループを決定し、
制御前記送受信機決定したリソースグループ内の送信リソースにより、前記ランダムアクセス要求を送信するように、前記送受信機を制御する。
【００４９】
可能の実施形態では、前記プロセッサは、前記メモリに格納されたプログラムを読み出し、
前記端末に用いられる動作帯域幅上の送信リソースにより、前記ランダムアクセス要求を送信するように、前記送受信機を制御し、
または、
前記端末に用いられるベースバンドパラメータの動作帯域幅上の送信リソースまたは、前記端末に用いられるベースバンドパラメータのサブフレームタイプを有する送信時間間隔（ＴＴＩ）内の送信リソースにより、前記ランダムアクセス要求を送信するように、前記送受信機を制御する。
【００５０】
可能の実施形態では、前記プロセッサは、前記メモリに格納されたプログラムを読み出し、
前記送受信機が前記送信パラメータを用いるように制御し、前記ランダムアクセス応答によってスケジューリングされたアップリンク送信を送信し、
前記送受信機が前記送信パラメータを用いるように制御し、競合解決メッセージを受信する。
【００５１】
第７の態様によれば、ネットワーク側送信ポイントは、
ランダムアクセス要求を受信する受信モジュールと、
前記ランダムアクセス要求に対応するランダムアクセス応答を送信する送信パラメータを決定する決定モジュールと、
前記送信パラメータを用いて、前記ランダムアクセス応答を送信する送信モジュールとを備える。
【００５２】
可能の実施形態では、前記送信パラメータはプリセットされたものであり、または、前記送信パラメータは、前記ネットワーク側送信ポイントが前記ランダムアクセス要求に応じて決定したものである。
【００５３】
可能の実施形態では、前記決定モジュールは、
プリアンブルシーケンスグループと動作帯域幅との間の対応関係に基づき、前記ランダムアクセス要求内のプリアンブルシーケンスが含まれるプリアンブルシーケンスグループに対応する動作帯域幅を決定し、決定した動作帯域幅を前記ランダムアクセス応答を送信する動作帯域幅として決定し、または、
プリアンブルシーケンスグループとベースバンドパラメータとの間の対応関係に基づき、前記ランダムアクセス要求内のプリアンブルシーケンスが含まれるプリアンブルシーケンスグループに対応するベースバンドパラメータを決定し、決定したベースバンドパラメータを、前記ランダムアクセス応答を送信するベースバンドパラメータとして決定する。
【００５４】
可能の実施形態では、前記決定モジュールは、
リソースグループと動作帯域幅との間の対応関係に基づき、受信した前記ランダムアクセス要求の送信リソースが含まれるリソースグループに対応する動作帯域幅を決定し、決定した動作帯域幅を前記ランダムアクセス応答を送信する動作帯域幅として決定し、または、
リソースグループとベースバンドパラメータとの間の対応関係に基づき、受信した前記ランダムアクセス要求の送信リソースが含まれるリソースグループに対応するベースバンドパラメータを決定し、決定したベースバンドパラメータを、前記ランダムアクセス応答を送信するベースバンドパラメータとして決定する。
【００５５】
可能の実施形態では、前記決定モジュールは、
受信した前記ランダムアクセス要求の送信リソースが含まれる動作帯域幅を、前記ランダムアクセス応答を送信する動作帯域幅として決定し、または、
受信した前記ランダムアクセス要求の送信リソースが含まれる動作帯域幅のベースバンドパラメータを、前記ランダムアクセス応答を送信するベースバンドパラメータとして決定し、または、
受信した前記ランダムアクセス要求の送信リソースが含まれるＴＴＩのサブフレームタイプを決定し、前記サブフレームタイプのベースバンドパラメータを、前記ランダムアクセス応答を送信するベースバンドパラメータとして決定する。
【００５６】
可能の実施形態では、前記受信モジュールは、前記送信パラメータを用いて、前記ランダムアクセス応答によってスケジューリングされたアップリンク送信を受信し、
前記送信モジュールは、前記送信パラメータを用いて、競合解決メッセージを送信する。
【００５７】
第８の態様によれば、ネットワーク側送信ポイント，プロセッサと、送受信機と、メモリとを備え、
前記プロセッサは、前記メモリに格納されたプログラムを読み出し、
前記送受信機によりランダムアクセス要求を受信し、
前記ランダムアクセス要求に対応するランダムアクセス応答を送信する送信パラメータを決定し、
が前記送信パラメータを用いて、前記ランダムアクセス応答を送信するように前記送受信機を制御し、
前記送受信機は、前記プロセッサの制御によりデータを送受信する。
【００５８】
可能の実施形態では、前記送信パラメータはプリセットされたものであり、または、前記送信パラメータは、前記プロセッサが前記ランダムアクセス要求に応じて決定したものである。
【００５９】
可能の実施形態では、前記プロセッサは、前記メモリに格納されたプログラムを読み出し、
プリアンブルシーケンスグループと動作帯域幅との間の対応関係に基づき、前記ランダムアクセス要求内のプリアンブルシーケンスが含まれるプリアンブルシーケンスグループに対応する動作帯域幅を決定し、決定した動作帯域幅を前記ランダムアクセス応答を送信する動作帯域幅として決定し、または、
プリアンブルシーケンスグループとベースバンドパラメータとの間の対応関係に基づき、前記ランダムアクセス要求内のプリアンブルシーケンスが含まれるプリアンブルシーケンスグループに対応するベースバンドパラメータを決定し、決定したベースバンドパラメータを、前記ランダムアクセス応答を送信するベースバンドパラメータとして決定する。
【００６０】
可能の実施形態では、前記プロセッサは、前記メモリに格納されたプログラムを読み出し、
リソースグループと動作帯域幅との間の対応関係に基づき、受信した前記ランダムアクセス要求の送信リソースが含まれるリソースグループに対応する動作帯域幅を決定し、決定した動作帯域幅を前記ランダムアクセス応答を送信する動作帯域幅として決定し、または、
リソースグループとベースバンドパラメータとの間の対応関係に基づき、受信した前記ランダムアクセス要求の送信リソースが含まれるリソースグループに対応するベースバンドパラメータを決定し、決定したベースバンドパラメータを、前記ランダムアクセス応答を送信するベースバンドパラメータとして決定する。
【００６１】
可能の実施形態では、前記プロセッサは、前記メモリに格納されたプログラムを読み出し、
受信した前記ランダムアクセス要求の送信リソースが含まれる動作帯域幅を、前記ランダムアクセス応答を送信する動作帯域幅として決定し、または、
前記送受信機が受信した前記ランダムアクセス要求の送信リソースが含まれる動作帯域幅のベースバンドパラメータを、前記ランダムアクセス応答を送信するベースバンドパラメータとして決定し、または、
前記送受信機が受信した前記ランダムアクセス要求の送信リソースが含まれるＴＴＩのサブフレームタイプを決定し、前記サブフレームタイプのベースバンドパラメータを、前記ランダムアクセス応答を送信するベースバンドパラメータとして決定する。
【００６２】
可能の実施形態では、前記プロセッサは、前記メモリに格納されたプログラムを読み出し、
前記送受信機が前記送信パラメータを用いるように制御し、前記ランダムアクセス応答によってスケジューリングされたアップリンク送信を受信し、
前記送受信機が前記送信パラメータを用いるように制御し、競合解決メッセージを送信する。
【発明の効果】
【００６３】
本発明の実施例に係る方法及び装置によれば、端末は、最初にデータ送信のためのそれ自分の送信パラメータを決定し、決定した送信パラメータに基づき、ランダムアクセス要求を送信するので、ネットワーク側送信ポイントは、前記端末に用いられる動作帯域幅及び/またはベースバンドパラメータで、当該ランダムアクセス要求に対応するランダムアクセス応答を送信し、こうして、５Ｇシステムでランダムアクセスのプロセスを遂行し、アクセス成功率を向上させる。また、ネットワーク側送信ポイントは、前記端末に用いられる動作帯域幅及び/またはベースバンドパラメータで、当該ランダムアクセス要求に対応するランダムアクセス応答を送信するため、端末は、前記送信パラメータで、前記ランダムアクセス要求に対応するランダムアクセス応答を単に監視して受信すればよい、端末による受信の煩雑さを軽減することができる。
【図面の簡単な説明】
【００６４】
【図１Ａ】非競合ランダムアクセスのプロセスを示す図である。
【図１Ｂ】競合ランダムアクセスのプロセスを示す図である。
【図２】本発明の実施例に係る端末側でのランダムアクセスのための方法のフローチャートである
【図３】本発明の実施例に係るネットワーク側でのランダムアクセスのための方法のフローチャートである
【図４Ａ】本発明の実施例１に係るランダムアクセスのプロセスを示す図である。
【図４Ｂ】本発明の実施例１に係る他のランダムアクセスのプロセスを示す図である。
【図５】本発明の実施例２に係るランダムアクセスのプロセスを示す図である。
【図６】本発明の実施例４に係るランダムアクセスのプロセスを示す図である。
【図７】本発明の実施例５に係るランダムアクセスのプロセスを示す図である。
【図８】本発明の実施例５に係る他のランダムアクセスのプロセスを示す図である。
【図９】本発明の実施例６に係るランダムアクセスのプロセスを示す図である。
【図１０】本発明の実施例７に係るランダムアクセスのプロセスを示す図である。
【図１１】本発明の実施例７に係る他のランダムアクセスのプロセスを示す図である。
【図１２】本発明の実施例に係る端末を示す図である。
【図１３】本発明の実施例に係る他の端末を示す図である。
【図１４】本発明の実施例に係るネットワーク側送信ポイントを示す図である。
【図１５】本発明の実施例に係る他のネットワーク側送信ポイントを示す図である。
【発明を実施するための形態】
【００６５】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の１部の実施例にすぎず、全部の実施例ではないのが明らかである。本発明の実施例に基づき、当業者は、創造性作業を行わない限りに得られた他の実施例は、全部本発明の保護範囲に属する。
【００６６】
本発明の実施形態で言及される端末（Ｔｅｒｍｉｎａｌ）は、ユーザ機器（ＵＥ）、移動局（Ｍｏｂｉｌｅ Ｓｔａｔｉｏｎ，ＭＳ）、移動端末（Ｍｏｂｉｌｅ Ｔｅｒｍｉｎａｌ）、移動端末、ＭＴＣ端末などとも呼ばれることができる。そして端末は無線アクセスネットワーク（Ｒａｄｉｏ Ａｃｃｅｓｓ Ｎｅｔｗｏｒｋ，ＲＡＮ）を介して１つ以上のコアネットワークと通信することができる。
【００６７】
本発明の実施例に係るネットワーク側送信ポイントは、ＬＴＥシステムにおける発展型ノードＢ（Ｅｖｏｌｕｔｉｏｎａｌ Ｎｏｄｅ Ｂ， ｅＮＢや、ｅ−ＮｏｄｅＢ）、マクロｅＮＢ、ピコｅＮＢ（または小型ｅＮＢ）、フェムトｅＮＢ、アクセスポイント（Ａｃｃｅｓｓ Ｐｏｉｎｔ， ＡＰ）または送信ポイント（Ｔｒａｎｓｍｉｓｓｉｏｎ Ｐｏｉｎｔ， ＴＰ）などである。本発明に係る実施例はこれらを限定しない。
【００６８】
以下、図面を参照しながら本発明の実施の形態についてさらに詳細に説明する。 本明細書に記載される実施形態は、本発明を例示および説明することのみを意図しており、本発明をそれに限定することを意図していないことを理解されたい。
【００６９】
図２に示す実施例に係る端末側でのランダムアクセスのための方法は、以下のステップを備える。
【００７０】
Ｓ２１では、端末は、自分が用いるデータ送信のための送信パラメータを決定し、前記送信パラメータに動作帯域幅及び/またはベースバンドパラメータが含まれる。
【００７１】
ここで、ベースバンドパラメータ（ｎｕｍｅｒｏｌｏｇｙ）は、サブキャプリア間隔、シンボル長などのうちの少なくとも１つを含むが、これ限られない。
【００７２】
Ｓ２２、前記端末は、前記送信パラメータに基づき、ランダムアクセス要求（即ち、Ｍｓｇ１）を送信する。
【００７３】
Ｓ２３、前記端末は、前記送信パラメータを用いて、前記ランダムアクセス要求に対応するランダムアクセス応答（即ち、Ｍｓｇ２）を受信する。
【００７４】
具体的に、前記端末は、自分が用いる動作帯域幅において、前記ランダムアクセス要求に対応するランダムアクセス応答を監視かつ受信する。及び/または
前記端末は、前記端末に用いられるベースバンドパラメータの動作帯域幅または、前記端末に用いられるベースバンドパラメータのサブフレームタイプを有するＴＴＩにおいて、前記端末に用いられるベースバンドパラメータで、前記ランダムアクセス要求に対応するランダムアクセス応答を監視かつ受信する。
【００７５】
本発明に係る実施例では、端末は、最初にデータ送信のためのそれ自分の送信パラメータを決定し、決定した送信パラメータに基づき、ランダムアクセス要求を送信するので、ネットワーク側送信ポイントは、前記端末に用いられる動作帯域幅及び/またはベースバンドパラメータで、当該ランダムアクセス要求に対応するランダムアクセス応答を送信し、こうして、５Ｇシステムでランダムアクセスのプロセスを遂行し、アクセス成功率を向上させる。また、ネットワーク側送信ポイントは、前記端末に用いられる動作帯域幅及び/またはベースバンドパラメータで、当該ランダムアクセス要求に対応するランダムアクセス応答を送信するため、端末は、前記送信パラメータで、前記ランダムアクセス要求に対応するランダムアクセス応答を単に監視して受信すればよい、端末による受信の煩雑さを軽減することができる。
【００７６】
本発明に係る実施例では、前記送信パラメータは、以下２つ可能な方式がある。
【００７７】
方式Ａ、前記送信パラメータはプリセットされたものである。
【００７８】
具体的に、前記端末に用いられる動作帯域幅はプリセットされたが、及び/または前記端末に用いられるベースバンドパラメータはプリセットされたものである。
【００７９】
当該方式では、Ｍｓｇ１及びＭｓｇ２は、設定された動作帯域幅において、設定されたベースバンドパラメータで送信される。例えば、例えば、ネットワーク側送信ポイントの帯域幅が狭く（すなわち、端末の動作帯域幅以下）、ベースバンドパラメータが１つしかない場合、端末は動作帯域幅全体にわたってＭｓｇ２を受信できる。このとき、Ｍｓｇ２は、ネットワーク側送信ポイントの動作帯域幅全体にわたって送信することができ、ここで、設定された動作帯域幅は、ネットワーク側送信ポイントの全動作帯域幅とすることができる。別の例では、別の例では、ネットワーク側送信ポイントの動作帯域幅の帯域幅が広い（すなわち、端末の動作帯域幅よりも大きい）場合、端末はその動作帯域幅においてＭｓｇ２を受信することができない。Ｍｓｇ２は、端末がＭｓｇ２を受信することができるように、ネットワーク側送信ポイントの帯域幅の１部を介してのみ送信されることができる。この時、設定された動作帯域幅は、受信帯域幅能力が最少である端末の動作帯域幅であるため、いずれの端末もＭｓｇ２を受信することができる。さらに別の例では、が複数セットのベースバンドパラメータで動作する場合、すべての端末がＭｓｇ２を受信することを可能にするために、Ｍｓｇ２は、設定された動作帯域幅において設定されたベースバンドパラメータのみで送信されることしかできない。
【００８０】
方式Ｂ、前記送信パラメータは、前記端末が自分の能力及び/またはトラフィック需要に応じて決定したものである。
【００８１】
例えば、低い待ち時間を必要とする端末に対しては、大きなサブキャプリア間隔および短いシンボル長を含むベースバンドパラメータが選択される。そして、一般的なデータ通信のために、端末は通常のサブキャプリア間隔および通常のシンボル長を含むベースバンドパラメータで動作する。非常に低い帯域幅能力を有する端末、例えば、低コスト端末の場合、動作帯域幅はその能力の範囲内で決定される。
【００８２】
上記いずれの実施例に基づき、Ｓ２２での前記端末は、前記送信パラメータに基づき、ランダムアクセス要求を送信する方式は、以下のような３つがある。
【００８３】
方式１、プリアンブルシーケンスグループと動作帯域幅との間の対応関係、及び/またはプリアンブルシーケンスグループとベースバンドパラメータとの間の対応関係を確立する。即ち、プリアンブルシーケンス（ｐｒｅａｍｂｌｅ）をグルーピングし、異なるプリアンブルシーケンスグループは、異なる動作帯域幅及び/またはベースバンドパラメータに対応する。
【００８４】
具体的に、プリアンブルシーケンスグループと動作帯域幅との間の対応関係を確立し，即ち、プリアンブルシーケンスに基づき、対応の動作帯域幅を決定することができる。また、プリアンブルシーケンスグループとベースバンドパラメータとの間の対応関係を確立し、即ち、プリアンブルシーケンスに基づき、対応のベースバンドパラメータを決定することができる。また、プリアンブルシーケンスグループが動作帯域幅及びベースバンドパラメータとの対応関係を確立し、即ち、プリアンブルシーケンスに基づき、対応の動作帯域幅及びベースバンドパラメータを決定することができる。
【００８５】
可能な実施方式では、Ｓ２２は、
前記端末は、プリアンブルシーケンスグループと動作帯域幅との間の対応関係に基づき、前記端末に用いられる動作帯域幅に対応するプリアンブルシーケンスグループを決定し、
また、前記端末は、決定したプリアンブルシーケンスグループから、プリアンブルシーケンスを前記ランダムアクセス要求として選択して送信する。
【００８６】
これに応じて、前記ネットワーク側送信ポイントは、プリアンブルシーケンスグループと動作帯域幅との間の対応関係に基づき、前記ランダムアクセス要求内のプリアンブルシーケンスが含まれるプリアンブルシーケンスグループに対応する動作帯域幅を決定し、決定した動作帯域幅を前記ランダムアクセス応答を送信する動作帯域幅として決定する。
【００８７】
当該方式では、プリアンブルシーケンスグループと動作帯域幅との間の対応関係は事前に約定してもよく、ネットワーク側送信ポイントによって決定した後端末に通知してもよい。
【００８８】
他の可能な実施方式では、Ｓ２２において、
前記端末は、プリアンブルシーケンスグループとベースバンドパラメータとの間の対応関係に基づき、前記端末に用いられるベースバンドパラメータに対応するプリアンブルシーケンスグループを決定し、
及び、前記端末は、決定したプリアンブルシーケンスグループから、プリアンブルシーケンスを前記ランダムアクセス要求として選択して送信する。
【００８９】
これに応じて、前記ネットワーク側送信ポイントは、プリアンブルシーケンスグループとベースバンドパラメータとの間の対応関係に基づき、前記ランダムアクセス要求内のプリアンブルシーケンスが含まれるプリアンブルシーケンスグループに対応するベースバンドパラメータを決定し、決定したベースバンドパラメータを、前記ランダムアクセス応答を送信するベースバンドパラメータとして決定する。
【００９０】
当該方式では、プリアンブルシーケンスグループとベースバンドパラメータとの間の対応関係は事前に約定してもよく、ネットワーク側送信ポイントによって決定した後端末に通知してもよい。
【００９１】
方式２、リソースグループと動作帯域幅との間の対応関係、及び/またはリソースグループとベースバンドパラメータとの間の対応関係を確立する。即ち、Ｍｓｇ１を送信する用の送信リソース、例えば、物理ランダムアクセスチャネル（ＰＲＡＣＨ，Ｐｈｙｓｉｃａｌ Ｒａｎｄｏｍ Ａｃｃｅｓｓ Ｃｈａｎｎｅｌ）リソースをグルーピングし、異なるリソースグループは、異なる動作帯域幅及び/またはベースバンドパラメータに対応する。
【００９２】
具体的に、リソースグループと動作帯域幅との間の対応関係を確立し、即ち、Ｍｓｇ１送信するための送信リソースに基づいて対応の動作帯域幅を決定することができる。リソースグループとベースバンドパラメータとの間の対応関係を確立することもできる。即ち、Ｍｓｇ１送信するための送信リソースに基づいて対応のベースバンドパラメータを決定することができ、また、リソースグループが動作帯域幅及びベースバンドパラメータとの対応関係を確立することができる。即ち、Ｍｓｇ１送信するための送信リソースに基づいて対応の動作帯域幅及びベースバンドパラメータを決定することができる。
【００９３】
可能な実施方式では、Ｓ２２において、
前記端末は、リソースグループと動作帯域幅との間の対応関係に基づき、前記端末に用いられる動作帯域幅に対応するリソースグループを決定し、
及び、前記端末は、決定したリソースグループ内の送信リソースにより、前記ランダムアクセス要求を送信する。
【００９４】
これに応じて、前記ネットワーク側送信ポイントは、リソースグループと動作帯域幅との間の対応関係に基づき、受信した前記ランダムアクセス要求の送信リソースが含まれるリソースグループに対応する動作帯域幅を決定し、決定した動作帯域幅を前記ランダムアクセス応答を送信する動作帯域幅として決定する。
【００９５】
当該方式では、リソースグループと動作帯域幅との間の対応関係は事前に約定してもよく、ネットワーク側送信ポイントによって決定した後端末に通知してもよい。
【００９６】
他の可能な実施方式では、Ｓ２２において、
前記端末は、リソースグループとベースバンドパラメータとの間の対応関係に基づき、前記端末に用いられるベースバンドパラメータに対応するリソースグループを決定し、及び、
前記端末は、決定したリソースグループ内の送信リソースにより、前記ランダムアクセス要求を送信する。
【００９７】
これに応じて、前記ネットワーク側送信ポイントは、リソースグループとベースバンドパラメータとの間の対応関係に基づき、受信した前記ランダムアクセス要求の送信リソースが含まれるリソースグループに対応するベースバンドパラメータを決定し、決定したベースバンドパラメータを、前記ランダムアクセス応答を送信するベースバンドパラメータとして決定する。
【００９８】
当該方式では、リソースグループと動作帯域幅との間の対応関係は事前に約定してもよく、ネットワーク側送信ポイントによって決定した後端末に通知してもよい。
【００９９】
方式３、Ｍｓｇ１の送信リソースはそれぞれの動作帯域幅において設定され、および／またはＭｓｇ１の送信リソースは動作帯域幅または異なるベースバンドパラメータを有するサブフレームタイプにわたって設定される。
【０１００】
可能な実施方式では、Ｓ２２において、前記端末は、前記端末に用いられる動作帯域幅上の送信リソースにより、前記ランダムアクセス要求を送信する。
【０１０１】
これに応じて、前記ネットワーク側送信ポイントは、受信した前記ランダムアクセス要求の送信リソースが含まれる動作帯域幅を、前記ランダムアクセス応答の動作帯域幅として決定する。
【０１０２】
他の可能な実施方式では、Ｓ２２において、前記端末は、前記端末に用いられるベースバンドパラメータの動作帯域幅上の送信リソースにより、前記ランダムアクセス要求を送信する。
【０１０３】
これに応じて、前記ネットワーク側送信ポイントは、受信した前記ランダムアクセス要求の送信リソースが含まれる動作帯域幅のベースバンドパラメータを、前記ランダムアクセス応答のベースバンドパラメータとして決定する。
【０１０４】
また、可能な実施方式では、Ｓ２２において、前記端末は、前記端末に用いられるベースバンドパラメータのサブフレームタイプを有する送信時間間隔（ＴＴＩ）内の送信リソースにより、前記ランダムアクセス要求を送信する。
【０１０５】
前記ネットワーク側送信ポイントは、受信した前記ランダムアクセス要求の送信リソースが含まれるＴＴＩのサブフレームタイプを決定し、前記サブフレームタイプが有するベースバンドパラメータを、前記ランダムアクセス応答のベースバンドパラメータをとして決定する。
【０１０６】
上記方式それぞれを利用してもよく、組み合わせて利用してもよい。本発明に係る実施例はこれを限定しない。例えば、端末は、方式Ｂ１でのプリアンブルシーケンスグループと動作帯域幅との間の対応関係で、当該端末に用いられる動作帯域幅に対応するプリアンブルシーケンスグループを決定し、決定したプリアンブルシーケンスグループから、プリアンブルシーケンスを前記ランダムアクセス要求として選択して送信する。及び、前記端末は、方式Ｂ２でのリソースグループとベースバンドパラメータとの間の対応関係で、前記端末に用いられるベースバンドパラメータに対応するリソースグループを決定し、決定したリソースグループ内の送信リソースにより、前記ランダムアクセス要求を送信する。
【０１０７】
上記いずれの実施例に基づき後続のランダムアクセスのプロセス、例えば競合ランダムアクセスのプロセスにおけるＭｓｇ３およびＭｓｇ４がある場合、前記方法はさらに以下を含む。
【０１０８】
前記端末は、前記送信パラメータを用いて、前記ランダムアクセス応答によってスケジューリングされたアップリンク送信を送信する（即ち、Ｍｓｇ３）。
及び、前記端末は、前記送信パラメータを用いて、競合解決メッセージ（即ち、Ｍｓｇ４）を受信する。
【０１０９】
図３に示す実施例に係るネットワーク側でのランダムアクセスのための方法は、以下のステップを備える。
【０１１０】
Ｓ３１、ネットワーク側送信ポイントは、ランダムアクセス要求を受信した後、前記ランダムアクセス要求に対応するランダムアクセス応答を送信する送信パラメータを決定する。
【０１１１】
Ｓ３２、前記ネットワーク側送信ポイントは、前記送信パラメータを用いて、前記ランダムアクセス応答を送信する。
【０１１２】
本発明に係る実施例では、ネットワーク側送信ポイントは、ランダムアクセス要求を受信した後、前記ランダムアクセス要求に対応するランダムアクセス応答を送信する送信パラメータを決定し、即ち、端末に用いられる動作帯域幅及び/またはベースバンドパラメータを決定する。また、前記送信パラメータを用いて、前記ランダムアクセス応答を送信する。こうして、５Ｇシステムでのランダムアクセスのプロセスを具現でき、アクセス成功率を向上させる。また、ネットワーク側送信ポイントは、前記端末に用いられる動作帯域幅及び/またはベースバンドパラメータで、当該ランダムアクセス要求に対応するランダムアクセス応答を送信し、端末は、前記送信パラメータで、前記ランダムアクセス要求に対応するランダムアクセス応答を単に監視して受信すればよい、端末による受信の煩雑さを軽減することができる。
【０１１３】
本発明に係る実施例では、前記送信パラメータはプリセットされたものであり、または、前記送信パラメータは、前記ネットワーク側送信ポイントが前記ランダムアクセス要求に応じて決定されたものである。
【０１１４】
可能な実施方式では、前記ネットワーク側送信ポイントは、前記ランダムアクセス要求に対応するランダムアクセス応答を送信する送信パラメータを決定する場合、
前記ネットワーク側送信ポイントは、プリアンブルシーケンスグループと動作帯域幅との間の対応関係に基づき、前記ランダムアクセス要求内のプリアンブルシーケンスが含まれるプリアンブルシーケンスグループに対応する動作帯域幅を決定し、決定した動作帯域幅を前記ランダムアクセス応答を送信する動作帯域幅として決定し、または、
前記ネットワーク側送信ポイントは、プリアンブルシーケンスグループとベースバンドパラメータとの間の対応関係に基づき、前記ランダムアクセス要求内のプリアンブルシーケンスが含まれるプリアンブルシーケンスグループに対応するベースバンドパラメータを決定し、決定したベースバンドパラメータを、前記ランダムアクセス応答を送信するベースバンドパラメータとして決定する。
【０１１５】
他の可能な実施方式では、前記ネットワーク側送信ポイントは、前記ランダムアクセス要求に対応するランダムアクセス応答を送信する送信パラメータを決定する場合、
前記ネットワーク側送信ポイントは、リソースグループと動作帯域幅との間の対応関係に基づき、受信した前記ランダムアクセス要求の送信リソースが含まれるリソースグループに対応する動作帯域幅を決定し、決定した動作帯域幅を前記ランダムアクセス応答を送信する動作帯域幅として決定し、または、
前記ネットワーク側送信ポイントは、リソースグループとベースバンドパラメータとの間の対応関係に基づき、受信した前記ランダムアクセス要求の送信リソースが含まれるリソースグループに対応するベースバンドパラメータを決定し、決定したベースバンドパラメータを、前記ランダムアクセス応答を送信するベースバンドパラメータとして決定する。
【０１１６】
他の可能な実施方式では、前記ネットワーク側送信ポイントは、前記ランダムアクセス要求に対応するランダムアクセス応答を送信する送信パラメータを決定する場合、
前記ネットワーク側送信ポイントは、受信した前記ランダムアクセス要求の送信リソースが含まれる動作帯域幅を、前記ランダムアクセス応答を送信する動作帯域幅として決定し、または、
前記ネットワーク側送信ポイントは、受信した前記ランダムアクセス要求の送信リソースが含まれる動作帯域幅のベースバンドパラメータを、前記ランダムアクセス応答を送信するベースバンドパラメータとして決定し、または、
前記ネットワーク側送信ポイントは、受信した前記ランダムアクセス要求の送信リソースが含まれるＴＴＩのサブフレームタイプを決定し、前記サブフレームタイプのベースバンドパラメータを、前記ランダムアクセス応答を送信するベースバンドパラメータとして決定する。
【０１１７】
上記いずれの実施例に基づき、前記方法では、
前記ネットワーク側送信ポイントは、前記送信パラメータを用いて、前記ランダムアクセス応答によってスケジューリングされたアップリンク送信を受信し、および、
前記ネットワーク側送信ポイントは、前記送信パラメータを用いて、競合解決メッセージを送信する。
【０１１８】
以下７つの実施例により、本発明の実施例に係るランダムアクセスのプロセスを詳しく説明する。
【０１１９】
実施例１、本実施例では、ランダムアクセスプロセは、設定された動作帯域幅において設定されたベースバンドパラメータを使用して実行される。
【０１２０】
本実施例では、端末は、一般に利用可能なリソース（即ち、設定された動作帯域幅上の送信リソース）において、少なくともＭｓｇ１およびＭｓｇ２を含み、同じベースバンドパラメータ（設定されたベースバンドパラメータ）を使用してランダムアクセスのプロセスを実行する。
【０１２１】
例えば、図４Ａにおいて、ランダムアクセスのプロセスでのＭｓｇ１、Ｍｓｇ２にいずれも動作帯域幅２において送信され、Ｍｓｇ２の送信の場合、動作帯域幅２のベースバンドパラメータを使用する。
【０１２２】
別の例では、図４Ｂにおいて、ランダムアクセスのプロセスでのＭｓｇ１、Ｍｓｇ２いずれもサブフレームタイプ１のＴＴＩ内で送信され、Ｍｓｇ２の送信に、サブフレームタイプ１のベースバンドパラメータが使用される。
【０１２３】
本実施例では、後続のランダムアクセスのプロセス（例えば、Ｍｓｇ３およびＭｓｇ４）がある場合、すべてのメッセージは、後続のランダムアクセスのプロセスにおいてネットワーク側送信ポイントによってスケジュールされ送信され、それらは以下の２つの方式で送信され得る。
【０１２４】
方式１：ネットワーク側送信ポイントが端末後続のデータ送信に使用する動作帯域幅及び/またはベースバンドパラメータを決定することができれば、当該動作帯域幅及び/またはベースバンドパラメータを使用して、後続のランダムアクセスメッセージを送信する。
【０１２５】
方式２：後続のランダムアクセスのプロセスにおけるメッセージは、Ｍｓｇ１およびＭｓｇ２を送信するために、および／またはＭｓｇ２と同じベースバンドパラメータを使用するために動作帯域幅において送信されるだけである。
【０１２６】
実施例２：本実施例では、異なるランダムアクセス要求シーケグループ（即ち、プリアンブルシーケンスグループ，ｐｒｅａｍｂｌｅ ｇｒｏｕｐ）は、異なる動作帯域幅に対応する。
【０１２７】
本実施例では、Ｍｓｇ１の送信リソースは、端末のどんな能力、およびその後のデータ送信におそらく適用されるべき動作帯域幅および／またはベースバンドパラメータにかかわらず、すべての端末に利用可能であるが、ｐｒｅａｍｂｌｅ ｇｒｏｕｐはＭｓｇ２の動作帯域幅に対応し、図５に示すように、ｐｒｅａｍｂｌｅ ｇｒｏｕｐ１は、動作帯域幅１に対応し、ｐｒｅａｍｂｌｅ ｇｒｏｕｐ２は、動作帯域幅２に対応する。
【０１２８】
本実施例では、端末は、その後にＭｓｇ２を受信すべき動作帯域幅において、ｐｒｅａｍｂｌｅ ｇｒｏｕｐからｐｒｅａｍｂｌｅを選択してＭｓｇ１として送信する。例えば、図５に示すように、端末は、その後に、動作帯域幅１において動作すれば、ｐｒｅａｍｂｌｅ ｇｒｏｕｐ１からｐｒｅａｍｂｌｅを選択してＭｓｇ１として送信する。ネットワーク側送信ポイントは、Ｍｓｇ１を受信した後、動作帯域幅１においてＭｓｇ２を送信する。
【０１２９】
後続のランダムアクセスのプロセスメッセージ、例えばＭｓｇ３およびＭｓｇ４がある場合、後続のランダムアクセスのプロセスでは、メッセージは、Ｍｓｇ２を送信するための動作帯域幅においてスケジューリングされて送信される。
【０１３０】
実施例３：本実施例では、異なるランダムアクセス要求シーケグループ（即ち、プリアンブルシーケンスグループ，ｐｒｅａｍｂｌｅ ｇｒｏｕｐ）は異なるベースバンドパラメータに対応する。
【０１３１】
本実施例では、Ｍｓｇ１の送信リソースは、全ての端末に適用可能であり、端末のどんな能力、およびその後のデータ送信におそらく適用されるべき動作帯域幅および／またはベースバンドパラメータにかかわらず、ｐｒｅａｍｂｌｅ ｇｒｏｕｐは、Ｍｓｇ２のベースバンドパラメータに対応する。
【０１３２】
図４Ａを例として、ｐｒｅａｍｂｌｅ ｇｒｏｕｐ１は、動作帯域幅１及びそれに使用されたベースバンドパラメータに対応する。ｐｒｅａｍｂｌｅ ｇｒｏｕｐ２は、動作帯域幅２及びそれに使用されたベースバンドパラメータに対応する。端末がｐｒｅａｍｂｌｅ ｇｒｏｕｐ１からｐｒｅａｍｂｌｅを選択してＭｓｇ１として送信すれば、ネットワーク側送信ポイントは、動作帯域幅１において、動作帯域幅１のベースバンドパラメータを使用してＭｓｇ２を送信する。
【０１３３】
図４Ｂを例として、ｐｒｅａｍｂｌｅ ｇｒｏｕｐ１は、サブフレームタイプ１のＴＴＩに対応し、ｐｒｅａｍｂｌｅ ｇｒｏｕｐ２は、サブフレームタイプ２のＴＴＩに対応する。端末がｐｒｅａｍｂｌｅ ｇｒｏｕｐ１からｐｒｅａｍｂｌｅ ｐｒｅａｍｂｌｅを選択してＭｓｇ１として送信すれば、ネットワーク側送信ポイントは、サブフレームタイプ１のＴＴＩ内で、サブフレームタイプ１のベースバンドパラメータを使用してＭｓｇ２を送信する。
【０１３４】
後続のランダムアクセスのプロセスのメッセージ、たとえば、Ｍｓｇ３、Ｍｓｇ４があれば、後続のランダムアクセスのプロセスのメッセージは、Ｍｓｇ２を送信する動作帯域幅及び/またはＭｓｇ２と同じサブフレームタイプで、Ｍｓｇ２と同じベースバンドパラメータを使用して、スケジューリングされて送信される。
【０１３５】
実施例４：本実施例では、異なるランダムアクセス要求シーケグループ（即ち、プリアンブルシーケンスグループ，ｐｒｅａｍｂｌｅ ｇｒｏｕｐ）及びＭｓｇ１送信するための送信リソースの組み合わせは、異なる動作帯域幅に対応する。
【０１３６】
本実施例では、Ｍｓｇ１送信リソース（即ち、Ｍｓｇ１送信するための送信リソース）は、端末の能力、およびその後のデータ送信におそらく適用されるべき動作帯域幅および／またはベースバンドパラメータにかかわらない。しかし、ネットワーク側送信ポイントは、システムメッセージまたは端末の事前設定によって、ｐｒｅａｍｂｌｅ ｇｒｏｕｐとＭｓｇ１送信リソースの組み合わせとＭｓｇ２動作帯域幅との対応関係を予め決定する。
【０１３７】
例えば、図６に示すように、Ｍｓｇ１送信リソース１を介して送信される任意のｐｒｅａｍｂｌｅに対応するＭｓｇ２は動作帯域幅１を介して送信され、Ｍｓｇ１送信リソース２を介して送信される任意のｐｒｅａｍｂｌｅに対応するＭｓｇ２は動作帯域幅２を介して送信されることを規定することができる。Ｍｓｇ１送信リソース１およびＭｓｇ１送信リソース２において送信できるｐｒｅａｍｂｌｅ ｇｒｏｕｐを、さらに区分することができる。
【０１３８】
これに応じて、端末は、Ｍｓｇ１送信リソース１において使用可能のｐｒｅａｍｂｌｅを送信する場合、ネットワーク側送信ポイントは、動作帯域幅１において、Ｍｓｇ２を送信することにより、端末へのランダムアクセス要求を応答する。端末は、Ｍｓｇ１を送信した後、動作帯域幅１において、Ｍｓｇ２を監視及び受信すればよい。
【０１３９】
後続のランダムアクセスのプロセスのメッセージ、例えば、Ｍｓｇ３、Ｍｓｇ４がある場合、後続のランダムアクセスのプロセスのメッセージは、Ｍｓｇ２を送信する動作帯域幅においてスケジューリングされて送信される。
【０１４０】
実施例５：本実施例では、異なるランダムアクセス要求シーケグループ（即ち、プリアンブルシーケンスグループ，ｐｒｅａｍｂｌｅ ｇｒｏｕｐ）及びＭｓｇ１送信するための送信リソースの組み合わせは、異なるベースバンドパラメータに対応する。
【０１４１】
本実施例では、Ｍｓｇ１送信リソース（即ち、Ｍｓｇ１送信するための送信リソース）は、端末の能力、およびその後のデータ送信におそらく適用されるべき動作帯域幅および／またはベースバンドパラメータにかかわらない。しかし、ネットワーク側送信ポイントは、システムメッセージまたは端末の事前設定によって、ｐｒｅａｍｂｌｅ ｇｒｏｕｐとＭｓｇ１送信リソースの組み合わせとＭｓｇ２動作帯域幅との対応関係を予め決定する。
【０１４２】
例えば、図７に示すように、Ｍｓｇ１送信リソース１を介して送信される任意のｐｒｅａｍｂｌｅに対応するＭｓｇ２は動作帯域幅１を介して送信され、Ｍｓｇ１送信リソース２を介して送信される任意のｐｒｅａｍｂｌｅに対応するＭｓｇ２は動作帯域幅２を介して送信されることを規定することができる。さらに、Ｍｓｇ１送信リソース１およびＭｓｇ１送信リソース２において送信できるｐｒｅａｍｂｌｅ ｇｒｏｕｐを、さらに区分することができる。
【０１４３】
これに応じて、端末は、Ｍｓｇ１送信リソース１において使用可能のｐｒｅａｍｂｌｅを送信する場合、ネットワーク側送信ポイントは、動作帯域幅１において、動作帯域幅１のベースバンドパラメータでＭｓｇ２を送信することにより、端末へのランダムアクセス要求を応答する。端末は、Ｍｓｇ１を送信した後、動作帯域幅１において、動作帯域幅１のベースバンドパラメータを使用して、Ｍｓｇ２を監視及び受信すればよい。
【０１４４】
後続のランダムアクセスのプロセスのメッセージ、例えば、Ｍｓｇ３、Ｍｓｇ４があれは、後続のランダムアクセスのプロセスのメッセージは、Ｍｓｇ２を送信する動作帯域幅において、Ｍｓｇ２と同じベースバンドパラメータでスケジューリングされて送信される。
【０１４５】
別の例では、図８に示すように、Ｍｓｇ１送信リソース１を介して送信される任意のｐｒｅａｍｂｌｅに対応するＭｓｇ２はサブフレームタイプ１のＴＴＩにおいて、サブフレームタイプ１のベースバンドパラメータを使用して送信され、Ｍｓｇ１送信リソース２を介して送信される任意のｐｒｅａｍｂｌｅに対応するＭｓｇ２はサブフレームタイプ２のＴＴＩにおいて、サブフレームタイプ２のベースバンドパラメータを使用して送信されることを規定することができる。さらに、Ｍｓｇ１送信リソース１およびＭｓｇ１送信リソース２において送信できるｐｒｅａｍｂｌｅ ｇｒｏｕｐを、さらに区分することができる。
【０１４６】
これに応じて、端末は、Ｍｓｇ１送信リソース１において使用可能のｐｒｅａｍｂｌｅを送信する場合、ネットワーク側送信ポイントは、サブフレームタイプ１のＴＴＩにおいて、サブフレームタイプ１のベースバンドパラメータを使用してＭｓｇ２を送信することにより、端末へのランダムアクセス要求を応答する。端末は、Ｍｓｇ１を送信した後、サブフレームタイプ１のＴＴＩにおいて、サブフレームタイプ１のベースバンドパラメータを使用して、Ｍｓｇ２を監視及び受信すればよい。
【０１４７】
後続のランダムアクセスのプロセスのメッセージ、例えば、Ｍｓｇ３、Ｍｓｇ４があれば、後続のランダムアクセスのプロセスのメッセージは、Ｍｓｇ２送信場合と同じサブフレームタイプのＴＴＩにおいて、Ｍｓｇ２と同じベースバンドパラメータを使用してスケジューリングされて送信される。
【０１４８】
実施例６：本実施例では、Ｍｓｇ１は、Ｍｓｇ２に対応する動作帯域幅において送信される。
【０１４９】
本実施例では、Ｍｓｇ１送信リソース（すなわち、Ｍｓｇ１を送信するための送信リソース）は、それぞれの動作帯域幅において構成される。特定の動作帯域幅において動作する端末は、当該動作帯域幅において、Ｍｓｇ１を送信するための送信リソースを通じてＭｓｇ１を送信し、動作帯域幅においてＭｓｇ２を単に受信することができる。後続のランダムアクセスメッセージがある場合、そのメッセージもスケジュールされ、Ｍｓｇ１およびＭｓｇ２の動作帯域幅においてスケジューリングされて送信される。
【０１５０】
例えば、図９に示すように、端末が動作帯域幅１において動作する必要があれば、端末は、動作帯域幅１上の送信リソースを選択してＭｓｇ１を送信し、かつ、動作帯域幅１のみにおいてＭｓｇ２を監視及び受信する。その後にランダムアクセスメッセージがあれば、当該メッセージは、動作帯域幅１においてスケジューリングされて送信される必要がある。
【０１５１】
実施例７：本実施例では、Ｍｓｇ１は、Ｍｓｇ２のベースバンドパラメータのうちの動作帯域幅または、サブフレームタイプで送信される。
【０１５２】
本実施例では、Ｍｓｇ１送信リソース（すなわちＭｓｇ１を送信するための送信リソース）は、異なるベースバンドパラメータの動作帯域幅、または異なるベースバンドパラメータを有するサブフレームタイプにおいて構成される。特定のベースバンドパラメータで動作する端末は、当該ベースバンドパラメータの動作帯域幅または、当該ベースバンドパラメータを有するサブフレームタイプにおいて、Ｍｓｇ１を送信し、当該ベースバンドパラメータの動作帯域幅、または、当該ベースバンドパラメータを有するサブフレームタイプのみにおいてＭｓｇ２を受信する。後続のランダムアクセスメッセージがあれば、当該メッセージは、Ｍｓｇ１、Ｍｓｇ２を送信する動作帯域幅または、同じベースバンドパラメータのサブフレームタイプにおいてスケジューリングされて送信される。
【０１５３】
例えば、図１０に示すように、端末が動作帯域幅１に対応するベースバンドパラメータを使用する必要があれば、端末は、動作帯域幅１上の送信リソースを選択してＭｓｇ１を送信し、動作帯域幅１のみにおいて、動作帯域幅１のベースバンドパラメータを使用して、Ｍｓｇ２を監視及び受信する。その後にランダムアクセスメッセージがあれば、当該メッセージは、動作帯域幅１において、当該ベースバンドパラメータを使用して、スケジューリングされて送信される。
【０１５４】
別の例では、図１１に示すように、端末がサブフレームタイプ１のベースバンドパラメータを使用する必要があれば、端末は、サブフレームタイプ１のＴＴＩ内の送信リソースを選択してＭｓｇ１（図１１のＭｓｇ１送信リソース１）を送信し、サブフレームタイプ１を使用するＴＴＩのみにおいて、サブフレームタイプ１対応のベースバンドパラメータを使用して、Ｍｓｇ２を監視及び受信する。その後に他のランダムアクセスメッセージがあれば、当該メッセージは、サブフレームタイプ１を使用するＴＴＩにおいて、当該ベースバンドパラメータを使用してスケジューリングされて送信される。
【０１５５】
上記方法の処理フローはソフトウェアプログラムで実行することができ、ソフトウェアプログラムは記憶媒体に格納することができ、格納されたソフトウェアプログラムが呼び出されるとそれは上記方法のステップを実行することができる。
【０１５６】
同じ発明思想に基づいて、本発明に係る実施例は、端末をさらに提供し、当該端末の課題解決原理は、図２に示すランダムアクセスのための方法と類似するため、当該端末の実施は方法の実施を参考することができ、繰り返して説明しない。
【０１５７】
図１２に示す実施例に係る端末は、
前記端末に用いられるデータ送信のための送信パラメータを決定する決定モジュール１２１と、
前記送信パラメータに基づき、ランダムアクセス要求を送信する送信モジュール１２２と、
前記送信パラメータを用いて、前記ランダムアクセス要求に対応するランダムアクセス応答を受信する受信モジュール１２３とを備える。
【０１５８】
前記送信パラメータに動作帯域幅及び/またはベースバンドパラメータが含まれる。
【０１５９】
可能の実施形態では、前記送信パラメータはプリセットされたものであり、または、前記送信パラメータは、前記端末が自分の能力及び/またはトラフィック需要に応じて決定されたものである。
【０１６０】
可能の実施形態では、前記送信モジュールは、
プリアンブルシーケンスグループと動作帯域幅との間の対応関係に基づき、前記端末に用いられる動作帯域幅に対応するプリアンブルシーケンスグループを決定し、または、前記端末は、プリアンブルシーケンスグループとベースバンドパラメータとの間の対応関係に基づき、前記端末に用いられるベースバンドパラメータに対応するプリアンブルシーケンスグループを決定し、
決定したプリアンブルシーケンスグループから、プリアンブルシーケンスを前記ランダムアクセス要求として選択して送信する。
【０１６１】
可能の実施形態では、前記送信モジュールは、
リソースグループと動作帯域幅との間の対応関係に基づき、前記端末に用いられる動作帯域幅に対応するリソースグループを決定し、または、前記端末は、リソースグループとベースバンドパラメータとの間の対応関係に基づき、前記端末に用いられるベースバンドパラメータに対応するリソースグループを決定し、
決定したリソースグループ内の送信リソースにより、前記ランダムアクセス要求を送信する。
【０１６２】
可能の実施形態では、前記送信モジュールは、
前記端末に用いられる動作帯域幅上の送信リソースにより、前記ランダムアクセス要求を送信し、
または、
前記端末に用いられるベースバンドパラメータの動作帯域幅上の送信リソースまたは、前記端末に用いられるベースバンドパラメータのサブフレームタイプを有する送信時間間隔（ＴＴＩ）内の送信リソースにより、前記ランダムアクセス要求を送信する。
【０１６３】
可能の実施形態では、前記送信モジュールは、前記送信パラメータを用いて、前記ランダムアクセス応答によってスケジューリングされたアップリンク送信を送信する。
【０１６４】
前記受信モジュールは、前記送信パラメータを用いて、競合解決メッセージを受信する。
【０１６５】
図１３に示す実施例に係る端末は、プロセッサ６００と、送受信機６１０と、メモリ６２０とを備える。
【０１６６】
前記プロセッサ６００は、前記メモリ６２０に格納されたプログラムを読み出し、前記端末に用いられるデータ送信のための送信パラメータを決定し、前記送信パラメータに動作帯域幅及び/またはベースバンドパラメータが含まれる。
【０１６７】
また、前記送信パラメータに基づき、前記送受信機により、ランダムアクセス要求を送信し、が前記送信パラメータを用いて、前記ランダムアクセス要求に対応するランダムアクセス応答を受信するように前記送受信機を制御する。
【０１６８】
前記送受信機６１０は、前記プロセッサ６００の制御によりデータを送受信する。
【０１６９】
図１３において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、ち、ち、送信機及び受信機を備え、送信媒体を介して他の装置と通信するユニットを提供する。る。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０１７０】
プロセッサ６００は、バズアーキテクチャ及び通常の処理を管理し、メモリ６２０は、プロセッサ６００が動作する際に利用するデータを記憶することができる。
【０１７１】
可能の実施形態では、前記送信パラメータはプリセットされたものであり、または、前記送信パラメータは、前記プロセッサが前記端末の能力及び/またはトラフィック需要に応じて決定されたものである。
【０１７２】
可能の実施形態では、前記プロセッサは、前記メモリに格納されたプログラムを読み出し、プリアンブルシーケンスグループと動作帯域幅との間の対応関係に基づき、前記端末に用いられる動作帯域幅に対応するプリアンブルシーケンスグループを決定し、または、前記端末は、プリアンブルシーケンスグループとベースバンドパラメータとの間の対応関係に基づき、前記端末に用いられるベースバンドパラメータに対応するプリアンブルシーケンスグループを決定する。
【０１７３】
決定したプリアンブルシーケンスグループから、プリアンブルシーケンスを前記ランダムアクセス要求として選択して送信する。
【０１７４】
可能の実施形態では、前記プロセッサは、前記メモリに格納されたプログラムを読み出し、リソースグループと動作帯域幅との間の対応関係に基づき、前記端末に用いられる動作帯域幅に対応するリソースグループを決定し、または、前記端末は、リソースグループとベースバンドパラメータとの間の対応関係に基づき、前記端末に用いられるベースバンドパラメータに対応するリソースグループを決定する。
【０１７５】
また、制御前記送受信機決定したリソースグループ内の送信リソースにより、前記ランダムアクセス要求を送信するように、前記送受信機を制御する。
【０１７６】
可能の実施形態では、前記プロセッサは、前記メモリに格納されたプログラムを読み出し、
制御前記送受信機前記端末に用いられる動作帯域幅上の送信リソースにより、前記ランダムアクセス要求を送信し、
または、
制御前記送受信機前記端末に用いられるベースバンドパラメータの動作帯域幅上の送信リソースまたは、前記端末に用いられるベースバンドパラメータのサブフレームタイプを有する送信時間間隔（ＴＴＩ）内の送信リソースにより、前記ランダムアクセス要求を送信する。
【０１７７】
可能の実施形態では、前記プロセッサは、前記メモリに格納されてプログラムを読み出し、前記送受信機が前記送信パラメータを用いるように制御し、前記ランダムアクセス応答によってスケジューリングされたアップリンク送信を送信し、
前記送受信機が前記送信パラメータを用いるように制御し、競合解決メッセージを受信する。
【０１７８】
同じ発明思想に基づいて、本発明に係る実施例はネットワーク側送信ポイントをさらに提供し、当該ネットワーク側送信ポイントの課題解決原理は、図３に示すランダムアクセスのための方法と類似するため、当該ネットワーク側送信ポイントの実施は方法の実施を参考することができ、繰り返して説明しない。
【０１７９】
図１４に示す実施例に係るネットワーク側送信ポイントは、
ランダムアクセス要求を受信する受信モジュール１４１と、
前記ランダムアクセス要求に対応するランダムアクセス応答を送信する送信パラメータを決定する決定モジュール１４２と、
前記送信パラメータを用いて、前記ランダムアクセス応答を送信する送信モジュール１４３とを備える。
【０１８０】
可能の実施形態では、前記送信パラメータはプリセットされたものであり、または、前記送信パラメータは、前記ネットワーク側送信ポイントが前記ランダムアクセス要求に応じて決定されたものである。
【０１８１】
可能の実施形態では、前記決定モジュールは、
プリアンブルシーケンスグループと動作帯域幅との間の対応関係に基づき、前記ランダムアクセス要求内のプリアンブルシーケンスが含まれるプリアンブルシーケンスグループに対応する動作帯域幅を決定し、決定した動作帯域幅を前記ランダムアクセス応答を送信する動作帯域幅として決定し、または、
プリアンブルシーケンスグループとベースバンドパラメータとの間の対応関係に基づき、前記ランダムアクセス要求内のプリアンブルシーケンスが含まれるプリアンブルシーケンスグループに対応するベースバンドパラメータを決定し、決定したベースバンドパラメータを、前記ランダムアクセス応答を送信するベースバンドパラメータとして決定する。
【０１８２】
可能の実施形態では、前記決定モジュールは、
リソースグループと動作帯域幅との間の対応関係に基づき、受信した前記ランダムアクセス要求の送信リソースが含まれるリソースグループに対応する動作帯域幅を決定し、決定した動作帯域幅を前記ランダムアクセス応答を送信する動作帯域幅として決定し、または、
リソースグループとベースバンドパラメータとの間の対応関係に基づき、受信した前記ランダムアクセス要求の送信リソースが含まれるリソースグループに対応するベースバンドパラメータを決定し、決定したベースバンドパラメータを、前記ランダムアクセス応答を送信するベースバンドパラメータとして決定する。
【０１８３】
可能の実施形態では、前記決定モジュールは、
受信した前記ランダムアクセス要求の送信リソースが含まれる動作帯域幅を、前記ランダムアクセス応答を送信する動作帯域幅として決定し、または、
受信した前記ランダムアクセス要求の送信リソースが含まれる動作帯域幅のベースバンドパラメータを、前記ランダムアクセス応答を送信するベースバンドパラメータとして決定し、または、
受信した前記ランダムアクセス要求の送信リソースが含まれるＴＴＩのサブフレームタイプを決定し、前記サブフレームタイプのベースバンドパラメータを、前記ランダムアクセス応答を送信するベースバンドパラメータとして決定する。
【０１８４】
可能の実施形態では、前記受信モジュールは、前記送信パラメータを用いて、前記ランダムアクセス応答によってスケジューリングされたアップリンク送信を受信する。
【０１８５】
前記送信モジュールは、前記送信パラメータを用いて、競合解決メッセージを送信する。
【０１８６】
図１５に示す実施例に係る他のネットワーク側送信ポイントは、プロセッサ５００と、送受信機５１０と、メモリ５２０とを備える。
【０１８７】
前記プロセッサ５００は、前記メモリ５２０に格納されたプログラムを読み出し、前記送受信機によりランダムアクセス要求を受信し、
前記ランダムアクセス要求に対応するランダムアクセス応答を送信する送信パラメータを決定し、
前記送受信機が前記送信パラメータを用いるように制御し、前記ランダムアクセス応答を送信する。
【０１８８】
前記送受信機は、前記プロセッサの制御によりデータを送受信する。
【０１８９】
図１５において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、ち、ち、送信機及び受信機を備え、送信媒体を介して他の装置と通信するユニットを提供する。プロセッサ５００は、バズアーキテクチャ及び通常の処理を管理し、メモリ５２０は、プロセッサ５００が動作する際に利用するデータを記憶することができる。
【０１９０】
可能の実施形態では、前記送信パラメータはプリセットされたものであり、または、前記送信パラメータは、プロセッサが前記ランダムアクセス要求に応じて決定されたものである。
【０１９１】
可能の実施形態では、前記プロセッサは、前記メモリに格納されたプログラムを読み出し、プリアンブルシーケンスグループと動作帯域幅との間の対応関係に基づき、前記ランダムアクセス要求内のプリアンブルシーケンスが含まれるプリアンブルシーケンスグループに対応する動作帯域幅を決定し、決定した動作帯域幅を前記ランダムアクセス応答を送信する動作帯域幅として決定し、または、
プリアンブルシーケンスグループとベースバンドパラメータとの間の対応関係に基づき、前記ランダムアクセス要求内のプリアンブルシーケンスが含まれるプリアンブルシーケンスグループに対応するベースバンドパラメータを決定し、決定したベースバンドパラメータを、前記ランダムアクセス応答を送信するベースバンドパラメータとして決定する。
【０１９２】
可能の実施形態では、前記プロセッサは、前記メモリに格納されたプログラムを読み出し、リソースグループと動作帯域幅との間の対応関係に基づき、受信した前記ランダムアクセス要求の送信リソースが含まれるリソースグループに対応する動作帯域幅を決定し、決定した動作帯域幅を前記ランダムアクセス応答を送信する動作帯域幅として決定し、または、
リソースグループとベースバンドパラメータとの間の対応関係に基づき、受信した前記ランダムアクセス要求の送信リソースが含まれるリソースグループに対応するベースバンドパラメータを決定し、決定したベースバンドパラメータを、前記ランダムアクセス応答を送信するベースバンドパラメータとして決定する。
【０１９３】
可能の実施形態では、前記プロセッサは、前記メモリに格納されたプログラムを読み出し、受信した前記ランダムアクセス要求の送信リソースが含まれる動作帯域幅を、前記ランダムアクセス応答を送信する動作帯域幅として決定し、または、
前記送受信機が受信した前記ランダムアクセス要求の送信リソースが含まれる動作帯域幅のベースバンドパラメータを、前記ランダムアクセス応答を送信するベースバンドパラメータとして決定するか、または、
前記送受信機が受信した前記ランダムアクセス要求の送信リソースが含まれるＴＴＩのサブフレームタイプを決定し、前記サブフレームタイプのベースバンドパラメータを、前記ランダムアクセス応答を送信するベースバンドパラメータとして決定する。
【０１９４】
可能の実施形態では、前記プロセッサは、前記メモリに格納されたプログラムを読み出し、前記送受信機が前記送信パラメータを用いるように制御し、前記ランダムアクセス応答によってスケジューリングされたアップリンク送信を受信し、
前記送受信機が前記送信パラメータを用いるように制御し、競合解決メッセージを送信する。
【０１９５】
本分野の技術者として、本発明の実施形態が、方法、システムまたは、コンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、１つまたは、複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１９６】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、または、他のプログラム可能なデータ処理装置設備の処理装置器に提供でき、コンピュータまたは、他のプログラム可能なデータ処理装置のプロセッサは、これらのコンピュータプログラム指令を実行し、フロー図における１つまたは、複数のフローおよび／またはブロック図における１つまたは、複数のブロックに指定する機能を実現する。
【０１９７】
これらのコンピュータプログラム指令は又、コンピュータまたは、他のプログラム可能なデータ処理装置を特定方式で動作させるコンピュータ読取記憶装置に記憶できる。これによって、指令を含む装置は当該コンピュータ読取記憶装置内の指令を実行でき、フロー図における１つまたは、複数のフローおよび／またはブロック図における１つまたは、複数のブロックに指定する機能を実現する。
【０１９８】
これらコンピュータプログラム指令はさらに、コンピュータまたは、他のプログラム可能なデータ処理装置設備に実装もできる。コンピュータプログラム指令が実装されたコンピュータまたは、他のプログラム可能設備は、１連の操作ステップを実行することによって、関連の処理を実現し、コンピュータまたは、他のプログラム可能な設備において実行される指令によって、フロー図における１つまたは、複数のフローおよび／またはブロック図における１つまたは、複数のブロックに指定する機能を実現する。
【０１９９】
上述した実施形態に記述された技術的な解決手段を改造し、または、その中の１部の技術要素を置換することもできる。そのような、改造と置換は本発明の各実施形態の技術の範囲から逸脱するとは見なされない。
【０２００】
無論、当業者によって、上述した実施形態に記述された技術的な解決手段を改造し、または、その中の１部の技術要素を置換することもできる。そのような、改造と置換は本発明の各実施形態の技術の範囲から逸脱するとは見なされない。そのような改造と置換は、すべて本発明の請求の範囲に属する。
【０２０１】
本出願は、２０１６年８月５日に中国特許局に提出し、出願番号が２０１６１０６３９２５９.Ｘであり、発明名称が「ランダムアクセスのための方法及び装置」との中国特許出願を基礎とする優先権を主張し、その開示の総てをここに取り込む。
【符号の説明】
【０２０２】
１２１  
１２２  
１２３  
１４１  
１４２  
１４３  
５００  
５１０  
５２０  
６００  
６１０  
６２０  
６３０  
【図１Ａ】
2019527990.tif 000003
【図１Ｂ】
2019527990.tif 000004
【図２】
2019527990.tif 000005
【図３】
2019527990.tif 000006
【図４Ａ】
2019527990.tif 000007
【図４Ｂ】
2019527990.tif 000008
【図５】
2019527990.tif 000009
【図６】
2019527990.tif 000010
【図７】
2019527990.tif 000011
【図８】
2019527990.tif 000012
【図９】
2019527990.tif 000013
【図１０】
2019527990.tif 000014
【図１１】
2019527990.tif 000015
【図１２】
2019527990.tif 000016
【図１３】
2019527990.tif 000017
【図１４】
2019527990.tif 000018
【図１５】
2019527990.tif 000019
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
端末は、自分が用いるデータ送信のための送信パラメータを決定するステップと、
前記端末は、前記送信パラメータに基づき、ランダムアクセス要求を送信するステップと、
前記端末は、前記送信パラメータを用いて、前記ランダムアクセス要求に対応するランダムアクセス応答を受信するステップとを備え、
前記送信パラメータに動作帯域幅及び/またはベースバンドパラメータが含まれることを特徴とするランダムアクセスのための方法。
【請求項２】
前記端末は、前記送信パラメータに基づき、ランダムアクセス要求を送信する場合、
前記端末は、プリアンブルシーケンスグループと動作帯域幅との間の対応関係に基づき、前記端末に用いられる動作帯域幅に対応するプリアンブルシーケンスグループを決定し、または、前記端末は、プリアンブルシーケンスグループとベースバンドパラメータとの間の対応関係に基づき、前記端末に用いられるベースバンドパラメータに対応するプリアンブルシーケンスグループを決定し、
前記端末は、決定したプリアンブルシーケンスグループから、プリアンブルシーケンスを前記ランダムアクセス要求として選択して送信することを特徴とする請求項１に記載のランダムアクセスのための方法。
【請求項３】
前記端末は、前記送信パラメータに基づき、ランダムアクセス要求を送信する場合、
前記端末は、リソースグループと動作帯域幅との間の対応関係に基づき、前記端末に用いられる動作帯域幅に対応するリソースグループを決定し、または、前記端末は、リソースグループとベースバンドパラメータとの間の対応関係に基づき、前記端末に用いられるベースバンドパラメータに対応するリソースグループを決定し、
前記端末は、決定したリソースグループ内の送信リソースにより、前記ランダムアクセス要求を送信することを特徴とする請求項１に記載のランダムアクセスのための方法。
【請求項４】
前記端末は、前記送信パラメータに基づき、ランダムアクセス要求を送信する場合、
前記端末は、前記端末に用いられる動作帯域幅上の送信リソースにより、前記ランダムアクセス要求を送信し、または、
前記端末は、前記端末に用いられるベースバンドパラメータの動作帯域幅上の送信リソースまたは、前記端末に用いられるベースバンドパラメータのサブフレームタイプを有する送信時間間隔（ＴＴＩ）内の送信リソースにより、前記ランダムアクセス要求を送信することを特徴とする請求項１に記載のランダムアクセスのための方法。
【請求項５】
前記端末は、前記送信パラメータを用いて、前記ランダムアクセス応答によってスケジューリングされたアップリンク送信を送信し、
前記端末は、前記送信パラメータを用いて、競合解決メッセージを受信することを特徴とする請求項１ないし請求項４のいずれか１項に記載のランダムアクセスのための方法。
【請求項６】
ネットワーク側送信ポイントは、ランダムアクセス要求を受信した後、前記ランダムアクセス要求に対応するランダムアクセス応答を送信する送信パラメータを決定するステップと、
前記ネットワーク側送信ポイントは、前記送信パラメータを用いて、前記ランダムアクセス応答を送信するステップとを備えることを特徴とするランダムアクセスのための方法。
【請求項７】
前記ネットワーク側送信ポイントが前記ランダムアクセス要求に対応するランダムアクセス応答を送信する送信パラメータを決定する場合、
前記ネットワーク側送信ポイントは、プリアンブルシーケンスグループと動作帯域幅との間の対応関係に基づき、前記ランダムアクセス要求内のプリアンブルシーケンスが含まれるプリアンブルシーケンスグループに対応する動作帯域幅を決定し、決定した動作帯域幅を前記ランダムアクセス応答を送信する動作帯域幅として決定し、または、
前記ネットワーク側送信ポイントプは、プリアンブルシーケンスグループとベースバンドパラメータとの間の対応関係に基づき、前記ランダムアクセス要求内のプリアンブルシーケンスが含まれるプリアンブルシーケンスグループに対応するベースバンドパラメータを決定し、決定したベースバンドパラメータを、前記ランダムアクセス応答を送信するベースバンドパラメータとして決定することを特徴とする請求項６に記載のランダムアクセスのための方法。
【請求項８】
前記ネットワーク側送信ポイントが前記ランダムアクセス要求に対応するランダムアクセス応答を送信する送信パラメータを決定する場合、
前記ネットワーク側送信ポイントは、リソースグループと動作帯域幅との間の対応関係に基づき、受信した前記ランダムアクセス要求の送信リソースが含まれるリソースグループに対応する動作帯域幅を決定し、決定した動作帯域幅を前記ランダムアクセス応答を送信する動作帯域幅として決定し、または、
前記ネットワーク側送信ポイントは、リソースグループとベースバンドパラメータとの間の対応関係に基づき、受信した前記ランダムアクセス要求の送信リソースが含まれるリソースグループに対応するベースバンドパラメータを決定し、決定したベースバンドパラメータを、前記ランダムアクセス応答を送信するベースバンドパラメータとして決定することを特徴とする請求項６に記載のランダムアクセスのための方法。
【請求項９】
前記ネットワーク側送信ポイントが前記ランダムアクセス要求に対応するランダムアクセス応答を送信する送信パラメータを決定する場合、
前記ネットワーク側送信ポイントは、受信した前記ランダムアクセス要求の送信リソースが含まれる動作帯域幅を、前記ランダムアクセス応答を送信する動作帯域幅として決定し、または、
前記ネットワーク側送信ポイントは、受信した前記ランダムアクセス要求の送信リソースが含まれる動作帯域幅のベースバンドパラメータを、前記ランダムアクセス応答を送信するベースバンドパラメータとして決定し、または、
前記ネットワーク側送信ポイントは、受信した前記ランダムアクセス要求の送信リソースが含まれるＴＴＩのサブフレームタイプを決定し、前記サブフレームタイプのベースバンドパラメータを、前記ランダムアクセス応答を送信するベースバンドパラメータとして決定することを特徴とする請求項６に記載のランダムアクセスのための方法。
【請求項１０】
前記ネットワーク側送信ポイントは、前記送信パラメータを用いて、前記ランダムアクセス応答によってスケジューリングされたアップリンク送信を受信し、
前記ネットワーク側送信ポイントは、前記送信パラメータを用いて、競合解決メッセージを送信することを特徴とする請求項６ないし請求項９のいずれか１項に記載のランダムアクセスのための方法。
【請求項１１】
端末に用いられるデータ送信のための送信パラメータを決定する決定モジュールと、
前記送信パラメータに基づき、ランダムアクセス要求を送信する送信モジュールと、
前記送信パラメータを用いて、前記ランダムアクセス要求に対応するランダムアクセス応答を受信する受信モジュールとを備え、
前記送信パラメータに動作帯域幅及び/またはベースバンドパラメータが含まれることを特徴とする端末。
【請求項１２】
前記送信モジュールは、
プリアンブルシーケンスグループと動作帯域幅との間の対応関係に基づき、前記端末に用いられる動作帯域幅に対応するプリアンブルシーケンスグループを決定し、または、前記端末は、プリアンブルシーケンスグループとベースバンドパラメータとの間の対応関係に基づき、前記端末に用いられるベースバンドパラメータに対応するプリアンブルシーケンスグループを決定し、
決定したプリアンブルシーケンスグループから、プリアンブルシーケンスを前記ランダムアクセス要求として選択して送信することを特徴とする請求項１１に記載の端末。
【請求項１３】
前記送信モジュールは、
リソースグループと動作帯域幅との間の対応関係に基づき、前記端末に用いられる動作帯域幅に対応するリソースグループを決定し、または、前記端末は、リソースグループとベースバンドパラメータとの間の対応関係に基づき、前記端末に用いられるベースバンドパラメータに対応するリソースグループを決定し、
決定したリソースグループ内の送信リソースにより、前記ランダムアクセス要求を送信することを特徴とする請求項１１に記載の端末。
【請求項１４】
前記送信モジュールは、
前記端末に用いられる動作帯域幅上の送信リソースにより、前記ランダムアクセス要求を送信し、
または、
前記端末に用いられるベースバンドパラメータの動作帯域幅上の送信リソースまたは、前記端末に用いられるベースバンドパラメータのサブフレームタイプを有する送信時間間隔（ＴＴＩ）内の送信リソースにより、前記ランダムアクセス要求を送信することを特徴とする請求項１１に記載の端末。
【請求項１５】
ランダムアクセス要求を受信する受信モジュールと、
前記ランダムアクセス要求に対応するランダムアクセス応答を送信する送信パラメータを決定する決定モジュールと、
前記送信パラメータを用いて、前記ランダムアクセス応答を送信する送信モジュールとを備えることを特徴とするネットワーク側送信ポイント。
【国際調査報告】
2019527990.tif 000020
2019527990.tif 000021
2019527990.tif 000022
2019527990.tif 000023